(57)【特許請求の範囲】
【請求項１】
訓練中に行われたグループ間の通信で用いられた通信データを収集し、前記通信データに含まれる前記グループを識別するグループ情報と、前記通信データの種別を識別する種別情報と、前記通信データを送信した日時を示す送信日時情報と、前記通信データに含まれる内容を示す１つ以上の要素情報と、を有する業務情報を、前記訓練ごとに記憶部に記憶し、
前記訓練が終了した後、訓練の検討に用いる端末から前記訓練の状況を示す状況表示画面を表示させるための表示条件情報を受信すると、前記訓練に関連する前記業務情報を取得し、
前記状況表示画面に前記通信データの種別各々に対する表示領域各々を表示させるために、取得した前記業務情報の前記要素情報に業務を実行した日時を示す有効日時情報が含まれているか否かを判定し、前記有効日時情報が含まれる場合には取得した前記業務情報に含まれる前記種別情報と、前記種別情報に対応する前記グループ情報および前記要素情報とを用いて表示結果情報を生成し、
取得した前記業務情報の前記要素情報に前記有効日時情報がない場合には取得した前記業務情報の前記送信日時情報を用いて前記表示結果情報を生成し、
前記表示結果情報を訓練の検討に用いる前記端末に送信する、
処理をコンピュータに実行させることを特徴とする情報管理プログラム。
【請求項２】
前記訓練の実施中に前記通信データを受信すると、受信した前記通信データに含まれる前記業務情報の前記種別情報を用いて、前記種別情報各々に関連付けられている、前記業務情報から前記グループ情報を特定する情報と、前記送信日時情報を特定する情報と、１つ以上の前記要素情報から決められた要素情報を特定するための情報と、を有する前記記憶部に記憶されている定義情報を参照し、前記業務情報からグループ情報と送信日時情報と要素情報を特定し、
特定された前記グループ情報と前記送信日時情報と前記要素情報とを、受信した業務情報の前記種別情報に関連付けて特定情報を生成し、前記記憶部に記憶し、
前記訓練が終了した後、訓練の検討に用いる前記端末から、前記状況表示画面の種別各々に対する表示領域を用いて選択された前記通信データの詳細な内容を示す詳細画面を表示させるための表示条件情報を受信すると、前記通信データに関連する前記特定情報または前記業務情報を前記記憶部から取得し、
選択された前記通信データに対応する前記詳細画面を表示させる表示領域を表示させるために、取得した前記特定情報を用いて前記業務情報を特定し、特定した前記業務情報の前記種別情報に対応するグループ情報および要素情報と、該要素情報に含まれる有効日時情報あるいは前記送信日時情報と、を用いて前記詳細画面の前記表示結果情報を生成する、
処理を前記コンピュータに実行させることを特徴とする請求項１に記載の情報管理プログラム。
【請求項３】
訓練に用いる端末のいずれか１つから訓練を開始する日時を示す訓練開始情報と、訓練を終了する日時を示す訓練終了情報を受信して前記記憶部に記憶し、
受信した前記通信データに含まれる前記業務情報と、該業務情報が前記記憶部に記憶された日時である登録日時情報とを関連付けて前記記憶部に記憶し、
前記訓練が終了した後、訓練の検討に用いる前記端末から、前記訓練開始情報と前記訓練終了情報とにより示される期間の任意の日時まで状態復帰させる要求を受信すると、前記任意の日時以降の前記登録日時情報に関連する前記業務情報と前記特定情報を削除する、
処理を前記コンピュータに実行させることを特徴とする請求項２に記載の情報管理プログラム。
【請求項４】
訓練に用いる複数の端末のいずれか１つから訓練を開始する日時を示す訓練開始情報と、訓練を終了する日時を示す訓練終了情報を受信して記憶し、
複数のグループ各々に属する端末が、訓練中に通信をした通信データを受信し、
前記通信データに含まれる前記グループを識別するグループ情報と、前記通信データの種別を識別する種別情報と、前記通信データを送信した日時を示す送信日時情報と、前記通信データに含まれる内容を示す１つ以上の要素情報と、を有する業務情報を、前記訓練ごとに記憶し、
前記訓練の実施中に前記通信データを受信すると、受信した前記通信データに含まれる前記業務情報の前記種別情報を用いて、前記種別情報各々に関連付けられている、前記業務情報から前記グループ情報を特定する情報と、前記送信日時情報を特定する情報と、１つ以上の前記要素情報から決められた要素情報を特定するための情報と、を有する定義情報を参照し、前記業務情報からグループ情報と送信日時情報と要素情報を特定し、
特定された前記グループ情報と前記送信日時情報と前記要素情報とを、受信した業務情報の前記種別情報に関連付けて特定情報を生成する、
情報管理装置と通信をし、
前記訓練が終了した後、前記訓練の状況を示す状況表示画面を表示させるために表示条件情報を前記情報管理装置に送信し、
前記状況表示画面に前記通信データの種別各々に対する表示領域各々を表示させるために、取得した前記業務情報の前記要素情報に業務を実行した日時を示す有効日時情報が含まれているか否かを判定し、前記有効日時情報が含まれる場合には取得した前記業務情報に含まれる前記種別情報と、前記種別情報に対応する前記グループ情報および前記要素情報とを用いて生成される表示結果情報を前記情報管理装置から受信し、
取得した前記業務情報の前記要素情報に前記有効日時情報がない場合には、取得した前記業務情報の前記送信日時情報を用いて生成される表示結果情報を前記情報管理装置から受信し、
受信した前記種別情報を用いて、前記種別情報各々に関連付けられる色と形状を示す情報を有する分類定義情報を参照し、前記状況表示画面に表示させる前記通信データの種別各々に対応する表示領域各々を求め、
前記訓練開始情報と前記訓練開始情報とにより示される期間と、前記通信データに対応する前記有効日時情報または前記送信日時情報と、前記状況表示画面の前記期間に対応する表示座標と、を用いて、前記グループ各々に関連付けて前記通信データの種別各々に対応する前記表示領域各々の表示位置を求め、
前記状況表示画面に前記表示領域各々を前記表示位置に基づいて表示させる、
処理をコンピュータに実行させることを特徴とする情報管理プログラム。
【請求項５】
前記訓練が終了した後、前記状況表示画面の種別各々に対する表示領域を用いて選択された前記通信データの詳細な内容を示す詳細画面を表示させるための表示条件情報を前記情報管理装置に送信し、
選択された前記通信データに対応する前記詳細画面を表示させる表示領域を表示させるために、取得した前記特定情報を用いて前記業務情報を特定し、特定した前記業務情報の前記種別情報に対応する前記グループ情報および前記要素情報と、該要素情報に含まれる有効日時情報あるいは前記送信日時情報と、を用いて生成される前記詳細画面の表示結果情報を前記情報管理装置から受信し、
受信した前記詳細画面の前記表示結果情報に含まれる前記グループ情報と、前記有効日時情報または前記送信日時情報と、前記要素情報各々と、を前記詳細画面の前記表示位置に表示させる、
処理を前記コンピュータに実行させることを特徴とする請求項４に記載の情報管理プログラム。
【請求項６】
送信した前記通信データに含まれる前記業務情報と、該業務情報を記憶した日時である登録日時情報とを関連付けて記憶する前記情報管理装置と通信をし、
前記訓練が終了した後、前記訓練開始情報と前記訓練終了情報とにより示される期間の任意の日時まで状態復帰させる要求を、前記情報管理装置に送信し、
前記任意の日時以降の前記登録日時情報に関連する前記業務情報と前記特定情報を削除する、
処理を前記コンピュータに実行させることを特徴とする請求項４または５に記載の情報管理プログラム。
【請求項７】
複数のグループ各々に属する端末が、訓練中に通信をした通信データを受信する受信部と、
前記通信データに含まれる前記グループを識別するグループ情報と、前記通信データの種別を識別する種別情報と、前記通信データを送信した日時を示す送信日時情報と、前記通信データに含まれる内容を示す１つ以上の要素情報と、を有する業務情報を、前記訓練ごとに記憶する記憶部と、
前記訓練が終了した後、訓練の検討に用いる端末から前記訓練の状況を示す状況表示画面を表示させるための表示条件情報を受信すると、前記訓練に関連する前記業務情報を取得し、前記状況表示画面に前記通信データの種別各々に対する表示領域各々を表示させるために、取得した前記業務情報の前記要素情報に業務を実行した日時を示す有効日時情報が含まれているか否かを判定し、前記有効日時情報が含まれる場合には取得した前記業務情報に含まれる前記種別情報と、前記種別情報に対応する前記グループ情報および前記要素情報と、を用いて表示結果情報を生成し、取得した前記業務情報の前記要素情報に前記有効日時情報がない場合には取得した前記業務情報の前記送信日時情報を用いて前記表示結果情報を生成する制御部と、
表示結果情報を訓練の検討に用いる前記端末に送信する送信部と、
を備えることを特徴とする情報管理装置。
【請求項８】
訓練に用いる複数の端末のいずれか１つから訓練を開始する日時を示す訓練開始情報と、訓練を終了する日時を示す訓練終了情報を受信して記憶し、
複数のグループ各々に属する端末が、訓練中に通信をした通信データを受信し、
前記通信データに含まれる前記グループを識別するグループ情報と、前記通信データの種別を識別する種別情報と、前記通信データを送信した日時を示す送信日時情報と、前記通信データに含まれる内容を示す１つ以上の要素情報と、を有する業務情報を、前記訓練ごとに記憶し、
前記訓練の実施中に前記通信データを受信すると、受信した前記通信データに含まれる前記業務情報の前記種別情報を用いて、前記種別情報各々に関連付けられている、前記業務情報から前記グループ情報を特定する情報と、前記送信日時情報を特定する情報と、１つ以上の前記要素情報から決められた要素情報を特定するための情報と、を有する定義情報を参照し、前記業務情報からグループ情報と送信日時情報と要素情報を特定し、
特定された前記グループ情報と前記送信日時情報と前記要素情報とを、受信した業務情報の前記種別情報に関連付けて特定情報を生成する、
情報管理装置と通信をし、
前記訓練が終了した後、前記訓練の状況を示す状況表示画面を表示させるために表示条件情報を前記情報管理装置に送信する送信部と、
前記状況表示画面に前記通信データの種別各々に対する表示領域各々を表示させるために、取得した前記業務情報の前記要素情報に業務を実行した日時を示す有効日時情報が含まれているか否かを判定し、前記有効日時情報が含まれる場合には取得した前記業務情報に含まれる前記種別情報と、前記種別情報に対応する前記グループ情報および前記要素情報とを用いて生成される表示結果情報を前記情報管理装置から受信し、取得した前記業務情報の前記要素情報に前記有効日時情報がない場合には、取得した前記業務情報の前記送信日時情報を用いて生成される表示結果情報を前記情報管理装置から受信する受信部と、
受信した前記種別情報を用いて、前記種別情報各々に関連付けられる色と形状を示す情報を有する分類定義情報を参照し、前記状況表示画面に表示させる前記通信データの種別各々に対応する表示領域各々を求め、前記訓練開始情報と前記訓練開始情報とにより示される期間と、前記通信データに対応する前記有効日時情報または前記送信日時情報と、前記状況表示画面の前記期間に対応する表示座標と、を用いて、前記グループ各々に関連付けて前記通信データの種別各々に対応する前記表示領域各々の表示位置を求める制御部と、
前記状況表示画面に前記表示領域各々を前記表示位置に基づいて表示させる出力部と、
を備えることを特徴とする端末。
【請求項９】
情報管理装置は、
複数のグループ各々に属しており訓練に用いる複数の端末のいずれか１つから訓練を開始する日時を示す訓練開始情報と、訓練を終了する日時を示す訓練終了情報を受信して記憶し、
前記複数の端末が前記訓練の実施中に通信をした通信データを受信すると、前記通信データに含まれる前記グループを識別するグループ情報と、前記通信データの種別を識別する種別情報と、前記通信データを送信した日時を示す送信日時情報と、前記通信データに含まれる内容を示す１つ以上の要素情報と、を有する業務情報を、前記訓練ごとに記憶し、
前記訓練の実施中に受信した前記通信データに含まれる前記業務情報の前記種別情報を用いて、前記種別情報各々に関連付けられている、前記業務情報から前記グループ情報を特定する情報と、前記送信日時情報を特定する情報と、１つ以上の前記要素情報から決められた要素情報を特定するための情報と、を有する定義情報を参照し、前記業務情報からグループ情報と送信日時情報と要素情報を特定し、
特定された前記グループ情報と前記送信日時情報と前記要素情報とを、受信した業務情報の前記種別情報に関連付けて特定情報を生成し、
特定された前記グループ情報と前記送信日時情報と前記要素情報とを、受信した業務情報の前記種別情報に関連付けて特定情報を生成して記憶し、
前記訓練が終了した後、
訓練の検討に用いる端末は、
前記訓練の状況を示す状況表示画面を表示させるために表示条件情報を前記情報管理装置に送信し、
前記情報管理装置は、
訓練の検討に用いる前記端末から前記訓練の状況を示す状況表示画面を表示させるための表示条件情報を受信すると、前記訓練に関連する前記業務情報を取得し、
前記状況表示画面に前記通信データの種別各々に対する表示領域各々を表示させるために、取得した前記業務情報の前記要素情報に業務を実行した日時を示す有効日時情報が含まれているか否かを判定し、前記有効日時情報が含まれる場合には取得した前記業務情報に含まれる前記種別情報と、前記種別情報に対応する前記グループ情報および前記要素情報とを用いて表示結果情報を生成し、
取得した前記業務情報の前記要素情報に前記有効日時情報がない場合には取得した前記業務情報の前記送信日時情報を用いて前記表示結果情報を生成し、
前記表示結果情報を訓練の検討に用いる前記端末に送信し、
訓練の検討に用いる前記端末は、
前記表示結果情報を前記情報管理装置から受信し、
受信した前記表示結果情報の前記種別情報を用いて、前記種別情報各々に関連付けられる色と形状を示す情報を有する分類定義情報を参照し、前記状況表示画面に表示させる前記通信データの種別各々に対応する表示領域各々を求め、
前記訓練開始情報と前記訓練開始情報とにより示される期間と、前記通信データに対応する前記有効日時情報または前記送信日時情報と、前記状況表示画面の前記期間に対応する表示座標と、を用いて、前記グループ各々に関連付けて前記通信データの種別各々に対応する前記表示領域各々の表示位置を求め、
前記状況表示画面に前記表示領域各々を前記表示位置に基づいて表示させる、
ことを特徴とする情報管理方法。
【請求項１０】
訓練に用いる端末のいずれか１つから訓練を開始する日時を示す訓練開始情報と、訓練を終了する日時を示す訓練終了情報を受信して前記記憶部に記憶し、
受信した前記通信データに含まれる前記業務情報と、該業務情報が前記記憶部に記憶された日時である登録日時情報とを関連付けて前記記憶部に記憶し、
前記訓練が終了した後、訓練の検討に用いる前記端末から、前記訓練開始情報と前記訓練終了情報とにより示される期間の任意の日時まで状態復帰させる要求を受信すると、前記任意の日時以降の前記登録日時情報に関連する前記業務情報を削除する、
処理を前記コンピュータに実行させることを特徴とする請求項１に記載の情報管理プログラム。
【発明の詳細な説明】
【技術分野】
【０００１】
本発明は、事後検討に用いる情報を管理する情報管理プログラム、情報管理装置、端末および情報管理方法
【背景技術】
【０００２】
１つ以上のグループが連携して実施した作業について事後検討する場合、作業中に行われたグループ間の通信や作業中のグループの状況などの履歴情報を用いて、実施した作業の事後検討が行われている。実施した作業の事後検討では、実施した作業を容易に振り返ることが求められる。そのため、作業中に行われたグループ間の通信や作業中のグループの状況などの履歴情報を統合して時系列に管理し、表示させることが望まれている。
【０００３】
関連する技術として、複数のグループおよび各グループに含まれている画像についての内容の確認や所望の画像の発見を画面上で簡単かつ迅速に行なうことを目的とする技術が知られている。その技術によれば、画像データに付与された時期情報、場所情報、カテゴリ情報のいずれかに基づいて多数の画像データをグループに分類する。その後、２つ以上のグループについて、各グループの特性としての代表画像を表示するための表示用枠を、液晶ディスプレイに一度に表示する。そして、表示用枠内へのポインタの移動を検出したときに、スライドショーを開始し、表示用枠内に、グループ内の複数の各画像データによって表わされる画像を、表示対象となる１つの画像を切り替えながら、順次表示する。
【０００４】
また、関連する技術として、本電子システムを個人宅や組織に設置するか、インターネットサービスプロバイダに設置することにより、個人や組織であっても全構成員が送受信した全ての電子メールを１カ所で管理するシステムが知られている。そのシステムによれば、電子メールの履歴だけでなく本文、添付書類も保存できるので、電子メールによる通信の履歴および内容を参照できる。さらに、本システムが稼動していることを周知すれば、社内からの秘密漏洩防止効果も期待できる。また、電子メールの保存はデータベース化することにより、過去の電子メールをキーワードなどで検索することが可能となる。
【先行技術文献】
【特許文献】
【０００５】
【特許文献１】特開２００６−１４６７５５号公報
【特許文献２】特開２００８−２４５２２９号公報
【発明の概要】
【発明が解決しようとする課題】
【０００６】
本発明は、１つ以上のグループの通信状況を時系列で管理し、１つ以上のグループが連携して実施した作業（訓練）について事後検討を容易に行えるようにする情報管理プログラム、情報管理装置、端末および情報管理方法を提供することを目的とする。
【課題を解決するための手段】
【０００７】
本実施の態様のひとつであるコンピュータ（情報管理装置側）が実行する情報管理プログラムは次の処理を行う。訓練中に行われたグループ間の通信で用いられた通信データを受信する。続いて、上記通信データに含まれる上記グループを識別するグループ情報と、上記通信データの種別を識別する種別情報と、上記通信データを送信した日時を示す送信日時情報と、上記通信データに含まれる内容を示す１つ以上の要素情報と、を有する業務情報を、上記訓練ごとに記憶部に記憶する。そして、上記訓練が終了した後、訓練の検討に用いる端末から上記訓練の状況を示す状況表示画面を表示させるための表示条件情報を受信すると、上記訓練に関連する上記業務情報を取得する。また、上記状況表示画面に上記通信データの種別各々に対する表示領域各々を表示させるために、取得した上記業務情報の上記要素情報に業務を実行した日時を示す有効日時情報が含まれているか否かを判定する。そして、上記有効日時情報が含まれる場合には取得した上記業務情報に含まれる上記種別情報と、上記種別情報に対応する上記グループ情報および上記要素情報とを用いて表示結果情報を生成する。取得した上記業務情報の上記要素情報に上記有効日時情報がない場合には取得した上記業務情報の上記送信日時情報を用いて上記表示結果情報を生成する。そして、上記表示結果情報を訓練の検討に用いる上記端末に送信する。
【０００８】
また、他の実施の態様のひとつであるコンピュータ（端末側）が実行する情報管理プログラムは次の処理を行う。情報管理装置と通信をし、上記訓練が終了した後、上記訓練の状況を示す状況表示画面を表示させるために表示条件情報を上記情報管理装置に送信する。また、上記状況表示画面に上記通信データの種別各々に対する表示領域各々を表示させるために、取得した上記業務情報の上記要素情報に業務を実行した日時を示す有効日時情報が含まれているか否かを判定する。そして、上記有効日時情報が含まれる場合には取得した上記業務情報に含まれる上記種別情報と、上記種別情報に対応する上記グループ情報および上記要素情報とを用いて生成される表示結果情報を上記情報管理装置から受信する。取得した上記業務情報の上記要素情報に上記有効日時情報がない場合には、取得した上記業務情報の上記送信日時情報を用いて生成される表示結果情報を上記情報管理装置から受信する。また、受信した上記種別情報を用いて、上記種別情報各々に関連付けられる色と形状を示す情報を有する分類定義情報を参照し、上記状況表示画面に表示させる上記通信データの種別各々に対応する表示領域各々を求める。
【０００９】
続いて、上記訓練開始情報と上記訓練開始情報とにより示される期間と、上記通信データに対応する上記有効日時情報または上記送信日時情報と、上記状況表示画面の上記期間に対応する表示座標と、を用いて、上記グループ各々に関連付けて上記通信データの種別各々に対応する上記表示領域各々の表示位置を求める。そして、上記状況表示画面に上記表示領域各々を上記表示位置に基づいて表示させる、
【００１０】
上記で通信を行う情報管理装置は、訓練に用いる複数の端末のいずれか１つから訓練を開始する日時を示す訓練開始情報と、情報管理装置は、訓練を終了する日時を示す訓練終了情報を受信して記憶し、複数のグループ各々に属する端末が、訓練中に通信をした通信データを受信する。また、上記通信データに含まれる上記グループを識別するグループ情報と、上記通信データの種別を識別する種別情報と、上記通信データを送信した日時を示す送信日時情報と、上記通信データに含まれる内容を示す１つ以上の要素情報と、を有する業務情報を、上記訓練ごとに記憶する。さらに、上記訓練の実施中に上記通信データを受信すると、受信した上記通信データに含まれる上記業務情報の上記種別情報を用いて、定義情報を参照し、上記業務情報からグループ情報と送信日時情報と要素情報を特定する。そして、特定された上記グループ情報と上記送信日時情報と上記要素情報とを、受信した業務情報の上記種別情報に関連付けて特定情報を生成する。
【００１１】
定義情報は、上記種別情報各々に関連付けられている、上記業務情報から上記グループ情報を特定する情報と、上記送信日時情報を特定する情報と、１つ以上の上記要素情報から決められた要素情報を特定するための情報と、を有する。
【発明の効果】
【００１２】
本実施の形態によれば、１つ以上のグループが連携して実施した作業（訓練）について事後検討を容易に行えるという効果を奏する。
【図面の簡単な説明】
【００１３】
【図１】訓練に用いる情報を管理するシステムの一実施例を示す図である。
【図２】情報管理装置の一実施例を示す図である。
【図３】情報管理装置の制御部と記憶部の一実施例を示す図である。
【図４】端末のハードウェアの一実施例を示す図である。
【図５】端末の制御部と記憶部の一実施例を示す図である。
【図６】訓練実施からＡＡＲ実施までの基本的な流れを示す図である。
【図７】訓練実施時の情報管理装置と端末の関係を示す図である。
【図８】通信データと設定情報のデータ構造の一実施例を示す図である。
【図９】訓練実施時の端末の動作の一実施例を示すフロー図である。
【図１０】端末の訓練中の業務情報の収集の動作の一実施例を示す図である。
【図１１】訓練実施時の情報管理装置の動作の一実施例を示すフロー図である。
【図１２】情報管理装置の訓練中の業務情報の収集の動作の一実施例を示す図である。
【図１３】業務情報、定義情報、特定情報のデータ構造の一実施例を示す図である。
【図１４】ＡＡＲに用いる情報管理装置と端末の関係を示す一実施例を示す図である。
【図１５】ＡＡＲ実施時の端末の動作の一実施例を示すフロー図である。
【図１６】ＡＡＲ実施時の端末の動作の一実施例を示すフロー図である。
【図１７】訓練情報と統合情報と選択画面情報のデータ構造の一実施例と、選択画面の一実施例を示す図である。
【図１８】表示結果情報、分類定義情報、表示位置情報、状況表示画面情報のデータ構造の一実施例を示す図である。
【図１９】状況表示画面の一実施例を示す図である。
【図２０】状況表示画面の生成処理の一実施例を示すフロー図である。
【図２１】ＡＡＲ実施時の情報管理装置の動作の一実施例を示すフロー図である。
【図２２】端末と情報管理装置の詳細画面を表示させる処理の一実施例を示すフロー図である。
【図２３】特定情報と業務情報と詳細画面の表示結果情報と詳細画面情報のデータ構造の一実施例を示す図である。
【図２４】詳細画面の一実施例を示す図である。
【図２５】端末と情報管理装置の日時変更を表示させる処理の一実施例を示すフロー図である。
【図２６】特定情報と業務情報と日時変更画面の表示結果情報のデータ構造の一実施例を示す図である。
【図２７】日時変更画面の一実施例を示す図である。
【図２８】端末の状態復帰の処理の一実施例を示すフロー図である。
【図２９】情報管理装置の状態復帰の処理の一実施例を示すフロー図である。
【図３０】復帰対象選択画面、復帰対象訓練選択画面、状態復帰日時設定画面の一実施例を示すフロー図である。
【図３１】状態復帰の処理における業務情報と登録日時のデータ構造の変化を示す図である。
【発明を実施するための形態】
【００１４】
各種訓練が終了した後、効率よく事後検討を行う方法について説明する。例えば、事後検討の代表的なものとして軍事に用いられるAfter Action Review（ＡＡＲ）などがある。ＡＡＲは、実施した部隊指揮、演習、訓練をした場合に、部隊指揮、演習、訓練を客観的に評価し、部隊指揮、演習、訓練の関係者を支援するものである。すなわち、関係者に実際に何が何故起こったかを認識させ、この認識を基に関係者が計画を再検討して関係者自らが方策を見いだし、実行できるように支援する。そして、この部隊指揮、演習、訓練で得たことを蓄積して、同じグループあるいは同種の部隊指揮、演習、訓練を実施するグループが同じ理由で同じ失敗を繰り返す事を防ぐためのものである。
【００１５】
以下図面に基づいて、本発明の実施形態について詳細を説明する。
図１は、訓練に用いる情報を管理するシステムの一実施例を示す図である。図１のシステムは、情報管理装置１ａ、１ｂ、１ｃ、端末２ａ、２ｂ、２ｃ、２ｄを有し、ネットワーク３を介して通信を行う。
【００１６】
情報管理装置１（１ａ、１ｂ、１ｃ）は、訓練中に端末２（２ａ、２ｂ、２ｃ、２ｄ）各々から送信される通信データを取得して記憶する。また、情報管理装置１は、訓練終了後に訓練について検討をする際に用いる端末２からの要求により、検討に用いる状況表示画面を生成する。さらに、検討をする際に用いる端末２からの要求により、情報管理装置１は訓練終了後に該訓に対して指定された局面の日時まで、情報管理装置１に記憶されている通信データの状態を復帰させる。
【００１７】
端末２は、訓練中に該端末２以外の端末と情報管理装置１と通信をする。また、検討をする際に用いる端末２は、訓練終了後に訓練について検討をする際に用いる状況表示画面を生成する。さらに、検討をする際に用いる端末２は訓練終了後に該訓に対して指定された局面の日時まで、端末２に記憶されている通信データの状態を復帰させる。
【００１８】
ネットワーク３は、例えば、無線通信、インターネット、Local Area Network（ＬＡＮ）、無線ＬＡＮなどのネットワークが考えられる。
情報管理装置について説明する。
【００１９】
図２は、情報管理装置の一実施例を示す図である。情報管理装置１は、図２に示す制御部２０１、記憶部２０２、記録媒体読取装置２０３、入出力インタフェース２０４（入出力Ｉ／Ｆ）、通信インタフェース２０５（通信Ｉ／Ｆ）などをそれぞれ備えている。また、上記各構成部はバス２０６によってそれぞれ接続されている。
【００２０】
制御部２０１はCentral Processing Unit（ＣＰＵ）、マルチコアＣＰＵ、プログラマブルなデバイス（Field Programmable Gate Array（ＦＰＧＡ）、Programmable Logic Device（ＰＬＤ）など）を用いることが考えられる。
【００２１】
記憶部２０２は、例えばRead Only Memory（ＲＯＭ）、Random Access Memory（ＲＡＭ）などのメモリやハードディスクなどが考えられる。なお、記憶部２０２にはパラメータ値、変数値などのデータを記録してもよいし、実行時のワークエリアとして用いてもよい。また、記憶部２０２はデータベースなどでもよい。
【００２２】
記録媒体読取装置２０３は、制御部２０１の制御に従って記録媒体２０７に対するデータのリード／ライトを制御する。そして、記録媒体２０７に記録媒体読取装置２０３の制御で書き込まれたデータを記録させたり、記録媒体２０７に記録されたデータを読み取らせたりする。また、着脱可能な記録媒体２０７は、コンピュータで読み取り可能なnon-transitory（非一時的）な記録媒体として、磁気記録装置、光ディスク、光磁気記録媒体、半導体メモリなどがある。磁気記録装置には、ハードディスク装置（ＨＤＤ）などがある。光ディスクには、Digital Versatile Disc（ＤＶＤ）、ＤＶＤ−ＲＡＭ、Compact Disc Read Only Memory（ＣＤ−ＲＯＭ）、ＣＤ−Ｒ(Recordable)／ＲＷ（ReWritable）などがある。光磁気記録媒体には、Magneto-Optical disk（ＭＯ）などがある。なお、記憶部２０２もnon-transitory（非一時的）な記録媒体に含まれる。
【００２３】
入出力インタフェース２０４には、入出力部２０８が接続され、入力された情報を受信し、バス２０６を介して制御部２０１に送信する。また、制御部２０１からの命令に従ってディスプレイの画面上に操作情報などを表示する。入出力部２０８の入力装置は、例えば、キーボード、ポインティングデバイス（マウスなど）、タッチパネルなどが考えられる。なお、入出力部２０８の出力部であるディスプレイは、例えば、液晶ディスプレイなどが考えられる。また、出力部はCathode Ray Tube（ＣＲＴ）ディスプレイ、プリンタなどの出力装置であってもよい。
【００２４】
通信インタフェース２０５は、ＬＡＮ接続やインターネット接続や無線接続を行うためのインタフェースである。また、通信インタフェース２０５は必要に応じ、他のコンピュータとの間のＬＡＮ接続やインターネット接続や無線接続を行うためのインタフェースである。
【００２５】
このようなハードウェア構成を有するコンピュータを用いることによって、後述する情報管理装置の各種処理機能が実現される。その場合情報管理装置が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体２０７に記録しておくことができる。
【００２６】
プログラムを流通させる場合には、例えば、そのプログラムが記録されたＤＶＤ、ＣＤ−ＲＯＭなどの記録媒体２０７が販売される。また、プログラムをサーバコンピュータの記憶装置に記録しておき、ネットワークを介して、サーバコンピュータから他のコンピュータにそのプログラムを転送することもできる。
【００２７】
プログラムを実行するコンピュータは、例えば、記録媒体２０７に記録されたプログラムもしくはサーバコンピュータから転送されたプログラムを、自己の記憶部２０２に記憶する。そして、コンピュータは、自己の記憶部２０２からプログラムを読み取り、プログラムに従った処理を実行する。なお、コンピュータは、記録媒体２０７から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【００２８】
情報管理装置１の制御部と記憶部について説明する。
図３は、情報管理装置の制御部と記憶部の一実施例を示す図である。
制御部２０１は、状況表示画面生成処理、詳細画面生成処理、状態復帰処理（実施形態２で説明する）を行う回路またはＣＰＵなどである。
【００２９】
記憶部２０２は、後述する業務情報３０１、設定情報３０２、定義情報３０３、表示結果情報３０４、登録日時情報３０５、訓練情報３０６、特定情報３０７などの情報を記憶している。
【００３０】
状況表示画面生成処理では、制御部２０１がグループを識別するグループ情報と、通信データの種別を識別する種別情報と、通信データを送信した日時を示す送信日時情報と、通信データに含まれる内容を示す１つ以上の要素情報と、を有する業務情報３０１を、訓練ごとに記憶部２０２に記憶する。
【００３１】
また、訓練が終了した後、訓練の検討に用いる端末２から訓練の状況を示す状況表示画面を表示させるための表示条件情報を、制御部２０１が受信すると、訓練に関連する業務情報を取得する。そして、状況表示画面に通信データの種別各々に対する表示領域各々を表示させるために、取得した業務情報の要素情報に業務を実行した日時を示す有効日時情報が含まれているか否かを判定する。有効日時情報が含まれる場合には取得した業務情報に含まれる種別情報と、種別情報に対応するグループ情報および要素情報と、を用いて表示結果情報を生成する。取得した業務情報の要素情報に有効日時情報がない場合には取得した業務情報の送信日時情報を用いて表示結果情報を生成する。その後、表示結果情報を通信インタフェース２０５の送信部を介して訓練の検討に用いる端末２に送信する。
【００３２】
また詳細画面生成処理では、制御部２０１が訓練の実施中に通信データを受信する。そして、受信した通信データに含まれる業務情報の種別情報を用いて、定義情報を参照し、業務情報からグループ情報と送信日時情報と要素情報を特定する。そして、特定されたグループ情報と送信日時情報と要素情報とを、受信した業務情報の種別情報に関連付けて特定情報を生成し記憶部２０２に記憶する（特定情報生成部）。定義情報は、種別情報各々に関連付けられている、業務情報からグループ情報を特定する情報と、送信日時情報を特定する情報と、１つ以上の要素情報から決められた要素情報を特定するための情報と、を有する。
【００３３】
訓練が終了した後、制御部２０１は訓練の検討に用いる端末２から、状況表示画面の種別各々に対する表示領域を用いて選択された通信データの詳細な内容を示す詳細画面を表示させるための表示条件情報を受信する。制御部２０１は、通信データに関連する特定情報または業務情報を記憶部２０２から取得し、選択された通信データに対応する詳細画面を訓練の検討に用いる端末２に表示させる。詳細画面は、制御部２０１が取得した特定情報を用いて業務情報を特定する。そして、特定した業務情報の種別情報に対応するグループ情報および要素情報と、該要素情報に含まれる有効日時情報あるいは送信日時情報と、を用いて表示結果情報を生成する（表示結果情報生成部）。この表示結果情報を訓練の検討に用いる端末２へ送信して、訓練の検討に用いる端末２が表示結果情報に基づいて詳細画面を表示する。
【００３４】
状態復帰処理（実施形態２で説明する）では、制御部２０１が訓練に用いる端末２のいずれか１つから訓練を開始する日時を示す訓練開始情報と、訓練を終了する日時を示す訓練終了情報を受信して記憶部２０２に記憶する。
【００３５】
制御部２０１に含まれる状態復帰部は、受信した通信データに含まれる業務情報と、該業務情報が記憶部に記憶された日時である登録日時情報とを関連付けて記憶部２０２に記憶する。
【００３６】
訓練が終了した後、訓練の検討に用いる端末２から、訓練開始情報と訓練終了情報とにより示される期間の任意の日時まで状態復帰させる要求を受信すると、任意の日時以降の登録日時情報に関連する業務情報と特定情報を削除する。
【００３７】
端末について説明する。
図４は、端末のハードウェアの一実施例を示す図である。端末２は、図４に示す制御部４０１、記憶部４０２、記録媒体読取装置４０３、入出力インタフェース４０４（入出力Ｉ／Ｆ）、通信インタフェース４０５（通信Ｉ／Ｆ）などを備えている。また、上記各構成部はバス４０６によってそれぞれ接続されている。
【００３８】
制御部４０１はCentral Processing Unit（ＣＰＵ）、マルチコアＣＰＵ、プログラマブルなデバイス（Field Programmable Gate Array（ＦＰＧＡ）、Programmable Logic Device（ＰＬＤ）など）を用いることが考えられる。
【００３９】
記憶部４０２は、例えばRead Only Memory（ＲＯＭ）、Random Access Memory（ＲＡＭ）などのメモリやハードディスクなどが考えられる。なお、記憶部４０２にはパラメータ値、変数値などのデータを記録してもよいし、実行時のワークエリアとして用いてもよい。また、記憶部４０２はデータベースなどでもよい。
【００４０】
記録媒体読取装置４０３は、制御部４０１の制御に従って記録媒体４０７に対するデータのリード／ライトを制御する。そして、記録媒体４０７に記録媒体読取装置４０３の制御で書き込まれたデータを記録させたり、記録媒体４０７に記録されたデータを読み取らせたりする。また、着脱可能な記録媒体４０７は、コンピュータで読み取り可能なnon-transitory（非一時的）な記録媒体として、磁気記録装置、光ディスク、光磁気記録媒体、半導体メモリなどがある。磁気記録装置には、ハードディスク装置（ＨＤＤ）などがある。光ディスクには、Digital Versatile Disc（ＤＶＤ）、ＤＶＤ−ＲＡＭ、Compact Disc Read Only Memory（ＣＤ−ＲＯＭ）、ＣＤ−Ｒ(Recordable)／ＲＷ（ReWritable）などがある。光磁気記録媒体には、Magneto-Optical disk（ＭＯ）などがある。なお、記憶部４０２もnon-transitory（非一時的）な記録媒体に含まれる。
【００４１】
入出力インタフェース４０４には、入出力部４０８が接続され、入力された情報を受信し、バス４０６を介して制御部４０１に送信する。また、制御部４０１からの命令に従ってディスプレイの画面上に操作情報などを表示する。入出力部４０８の入力装置は、例えば、キーボード、ポインティングデバイス（マウスなど）、タッチパネルなどが考えられる。なお、入出力部４０８の出力部であるディスプレイは、例えば、液晶ディスプレイなどが考えられる。また、出力部はCathode Ray Tube（ＣＲＴ）ディスプレイ、プリンタなどの出力装置であってもよい。
【００４２】
通信インタフェース４０５は、ＬＡＮ接続やインターネット接続や無線接続を行うためのインタフェースである。また、通信インタフェース４０５は必要に応じ、他のコンピュータとの間のＬＡＮ接続やインターネット接続や無線接続を行うためのインタフェースである。
【００４３】
このようなハードウェア構成を有するコンピュータを用いることによって、後述する端末各々の各種処理機能が実現される。その場合端末各々が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体４０７に記録しておくことができる。
【００４４】
プログラムを流通させる場合には、例えば、そのプログラムが記録されたＤＶＤ、ＣＤ−ＲＯＭなどの記録媒体４０７が販売される。また、プログラムをサーバコンピュータの記憶装置に記録しておき、ネットワークを介して、サーバコンピュータから他のコンピュータにそのプログラムを転送することもできる。
【００４５】
プログラムを実行するコンピュータは、例えば、記録媒体４０７に記録されたプログラムもしくはサーバコンピュータから転送されたプログラムを、自己の記憶部４０２に記憶する。そして、コンピュータは、自己の記憶部４０２からプログラムを読み取り、プログラムに従った処理を実行する。なお、コンピュータは、記録媒体４０７から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【００４６】
図５は、端末の制御部と記憶部の一実施例を示す図である。
制御部４０１は、状況表示画面生成処理、詳細画面生成処理、状態復帰処理（実施形態２で説明する）を行う回路またはＣＰＵなどである。
【００４７】
記憶部４０２は、後述する業務情報５０１、表示結果情報５０２、分類定義情報５０３、選択画面情報５０４、登録日時情報５０５、表示位置情報５０６、状況表示画面情報５０７、詳細画面情報５０８などの情報を記憶している。
【００４８】
端末２の制御部４０１は、訓練が終了した後、訓練の状況を示す状況表示画面を表示させるために表示条件情報を、通信インタフェース４０５（送信部）を介して情報管理装置１に送信する。
【００４９】
状況表示画面生成処理では制御部４０１が、状況表示画面に通信データの種別各々に対する表示領域各々を表示させるために、取得した業務情報の要素情報に業務を実行した日時を示す有効日時情報が含まれているか否かを判定する。そして、有効日時情報が含まれる場合には取得した業務情報に含まれる種別情報と、種別情報に対応するグループ情報および要素情報とを用いて生成される表示結果情報を、通信インタフェース４０５（受信部）を介して情報管理装置１から受信する。取得した業務情報の要素情報に有効日時情報がない場合には、取得した業務情報の送信日時情報を用いて生成される表示結果情報を、通信インタフェース４０５（受信部）を介して情報管理装置１から受信する。
【００５０】
制御部４０１は、受信した種別情報を用いて、種別情報各々に関連付けられる色と形状を示す情報を有する分類定義情報を参照し、状況表示画面に表示させる通信データの種別各々に対応する表示領域各々を求める。また、訓練開始情報と訓練開始情報とにより示される期間と、通信データに対応する有効日時情報または送信日時情報と、状況表示画面の期間に対応する表示座標と、を用いて、グループ各々に関連付けて種別各々に対応する表示領域各々の表示位置を求める。
【００５１】
制御部４０１は、入出力部２０８（出力部）に表示される状況表示画面に表示領域各々を表示位置に基づいて表示させる。
詳細画面生成処理では制御部４０１が、訓練が終了した後、状況表示画面の種別各々に対する表示領域を用いて選択された通信データの詳細な内容を示す詳細画面を表示させるための表示条件情報を生成し、送信部を介して情報管理装置に送信させる。
【００５２】
制御部４０１は、選択された通信データに対応する詳細画面を表示させる表示領域を表示させるために、取得した特定情報を用いて業務情報を特定する。そして、特定した業務情報の種別情報に対応するグループ情報と要素情報と、該要素情報に含まれる有効日時情報あるいは送信日時情報と、を用いて生成される詳細画面の表示結果情報を情報管理装置１から受信部を介して受信する。
【００５３】
制御部４０１は、受信した表示結果情報に含まれる詳細画面のグループ情報と、有効日時情報または送信日時情報と、要素情報各々と、を詳細画面の表示位置に表示させる。
状態復帰処理（実施形態２で説明する）では制御部４０１が、送信した通信データに含まれる業務情報と、該業務情報が記憶部に記憶された日時である登録日時情報とを関連付けて記憶する。また、制御部４０１に含まれる状態復帰部は、訓練が終了した後、訓練開始情報と訓練終了情報とにより示される期間の任意の日時まで状態復帰させる要求を、情報管理装置に送信し、記憶部４０２に記憶した任意の日時以降の登録日時情報に関連する業務情報と特定情報を削除する。
【００５４】
本実施形態では部隊指揮、演習、訓練に関するAfter Action Review（ＡＡＲ）を例に説明をする。なお、本実施形態については部隊指揮、演習、訓練に関するＡＡＲを用いて説明をするが、部隊指揮、演習、訓練に関するＡＡＲに限定されるものではない。
【００５５】
訓練実施からＡＡＲ実施までの基本的な流れについて説明する。
図６は、訓練実施からＡＡＲ実施までの基本的な流れを示す図である。ステップＳ１では、実働する訓練中にグループ間で行われる通信データを、実際に通信をする端末と情報管理装置に記憶する。
【００５６】
ステップＳ２では、訓練終了後にＡＡＲを実施するか、ステップ１で実施した訓練において任意の局面まで状態復帰して再度その局面から訓練を実施するかを選択する。
ステップＳ３ではＡＡＲを実施し、ＡＡＲに必要な訓練におけるグループ（部隊）の状態を表す状況表示画面を表示させる。ＡＡＲにおいて後述する状況表示画面を用いることで通信データの種別（業務の種別）、通信データの内容（業務の内容）、通信データと訓練日時との関係などが、利用者に視覚的に分かりやすくすることができる。さらに、通信データに関連する詳細情報を表示することで、詳細なレビューが行えるようになる。
【００５７】
ステップＳ４では端末または情報管理装置に記憶されているデータに対して指定された局面の日時まで状態復帰させ、再度指定された日時（仮想日時）から訓練を再度実施させるための処理をさせる。この状態復帰に関する操作を、利用者が容易にできるようにする。
【００５８】
訓練実施時の情報管理装置と端末の動作について説明する。
以下では２の端末２に対して１つの情報管理装置１を用いる場合の構成について説明する。ただし、上記構成に限定されるものではない。
【００５９】
図７は、訓練実施時の情報管理装置と端末の関係を示す図である。図７に示す端末２ａと端末２ｂはそれぞれ異なるグループｇｒ１とグループｇｒ２に属している。訓練中に端末２ａが端末２ｂに業務情報１を送信する場合には、業務情報１を情報管理装置１にも送信し、訓練中に端末２ｂが端末２ａに業務情報２を送信する場合には、業務情報２を情報管理装置１にも送信する。グループは例えば部隊などである。
【００６０】
図８は、通信データと設定情報のデータ構造の一実施例を示す図である。図８に示す通信データ８０１は図７の業務情報１を送信する通信データに対応し、図８に示す通信データ８０２は図７の業務情報２を送信する通信データに対応する。通信データは端末２から他の端末２と情報管理装置１に送信される情報で、通信に必要な情報と業務情報を有する。通信に必要な情報８０４、８０７は少なくとも「送信先１」「送信先２」「送信元」などの情報を有し、業務情報８０３、８０６は「グループ」「種別」「送信日時」「内容」に示される情報を有する。
【００６１】
「送信先１」には送信先の端末２のアドレスが記憶されている。通信データ８０１の「送信先１」には、端末２ｂのアドレスを示す「ａｄ＿ｔ２」が記憶されている。通信データ８０２の「送信先１」には、端末２ａのアドレスを示す「ａｄ＿ｔ１」が記憶されている。「送信先２」には情報管理装置１のアドレスが記憶されている。通信データ８０１、８０２の「送信先２」には、情報管理装置１のアドレスを示す「ａｄ＿ｓ１」が記憶されている。「送信元」には送信元の端末２のアドレスが記憶されている。通信データ８０１の「送信元」には、端末２ａのアドレスを示す「ａｄ＿ｔ１」が記憶されている。通信データ８０２の「送信元」には、端末２ｂのアドレスを示す「ａｄ＿ｔ２」が記憶されている。
【００６２】
「グループ」には端末２が属するグループを識別する情報が記憶されている。通信データ８０１の「グループ」には、端末２ａの属するグループを識別する情報「ｇｒ１」が記憶されている。通信データ８０２の「グループ」には、端末２ｂの属するグループを識別する情報「ｇｒ２」が記憶されている。「種別」には業務を識別する情報が記憶されている。通信データ８０１の「種別」には、端末２ａから送信した業務情報を識別する情報「ｔｙｐｅ１」が記憶されている。通信データ８０２の「種別」には、端末２ｂから送信した業務情報を識別する情報「ｔｙｐｅ２」が記憶されている。「送信日時」には通信データを送信した日時が記憶されている。通信データ８０１の「送信日時」には、端末２ａから通信データを送信した日時２０１１年１０月８日９時３０分１秒を示す「２０１１／１０／８／９：３０：０１」が記憶されている。通信データ８０２の「送信日時」には、端末２ａから通信データを送信した日時２０１１年１０月８日１０時４秒を示す「２０１１／１０／８／１０：００：０４」が記憶されている。「内容」には業務に関連する情報が記憶され、通信データ８０１の「内容」には「種別」に示された業務に関連する情報「ｄａｔａ１」が記憶されている。「ｄａｔａ１」は「要素１」「要素２」「要素３」を有し（８０５参照）、本例では「要素１」「要素２」「要素３」にはそれぞれに対応する要素値「ｅｌ１ａ」「ｅｌ２ａ」「ｅｌ３ａ」が記憶されている。通信データ８０２の「内容」には「種別」に示された業務に関連する情報「ｄａｔａ２」が記憶されている。「ｄａｔａ２」は「要素Ａ」「要素Ｂ」「要素Ｃ」「要素Ｄ」を有し（８０８参照）、本例では「要素Ａ」「要素Ｂ」「要素Ｃ」「要素Ｄ」にはそれぞれに対応する要素値「ｅｌＡａ」「ｅｌＢａ」「ｅｌＣａ」「ｅｌＤａ」が記憶されている。
【００６３】
なお、各要素には、例えば、業務の名称を示す情報、位置情報、有効日時情報、業務により異なる内容を示す情報など、業務に関連した情報を有している。位置情報には、グループが所在した位置を示す位置座標が記憶されている。有効日時情報には、位置情報に示される位置に所在した実際の日時が記憶されている。すなわち、通信データを送信とした位置と日時が、実際に所在した位置と日時が異なることがあるためである。例えば、業務によっては報告を事後にすることがあるため、有効日時情報を送信日時と別に記憶する。
【００６４】
端末の訓練実施時の動作について説明する。
図９は、訓練実施時の端末の動作の一実施例を示すフロー図である。ステップＳ９０１では、制御部４０１が状態復帰後の訓練であるか否かを判定し、状態復帰後の訓練であればステップＳ９０２（Ｙｅｓ）に移行し、状態復帰後でなければステップＳ９０３（Ｎｏ）に移行する。状態復帰であるか否かは、例えば、後述する状態復帰処理を実行したことを示す状態復帰フラグを参照し、状態復帰フラグが立っていれば（Ｆｌａｇ＝１）状態復帰処理後と判定し、状態復帰フラグが立っていなければ（Ｆｌａｇ＝０）状態復帰処理を実行していないと判定する。
【００６５】
ステップＳ９０２では、制御部４０１が訓練実施時に用いる状態復帰後の訓練日時設定画面を入出力部４０８の出力部であるディスプレイに表示するための情報を生成し、ディスプレイに該情報を送信する。そして、ディスプレイに訓練日時設定画面が表示される。
【００６６】
ステップＳ９０３では、制御部４０１が訓練実施時に用いる訓練日時設定画面を入出力部４０８の出力部であるディスプレイに表示するための情報を生成し、ディスプレイに該情報を送信する。そして、ディスプレイに訓練日時設定画面が表示される。
【００６７】
ここで、訓練日時設定画面とは実際に実働する訓練開始日時と訓練終了日時と、実際には実働しない訓練の仮想開始日時とを、利用者が入力するときに用いるために表示される画面である。実際に実働する訓練開始日時と訓練終了日時と仮想開始日時などの入力は入出力部４０８の入力部などを用いて行う。
【００６８】
ただし、ステップＳ９０２で示した訓練日時設定画面では仮想開始日時の変更ができないようにすることが望ましい。すなわち、状態復帰処理前に決定した仮想開始日時を起点として状態復帰処理がされるため、状態復帰処理後に仮想開始日時が変更されると日時の整合が取れなくなるという問題が生じるためである。
ステップＳ９０４で制御部４０１は、訓練日時設定画面より利用者により入力された訓練開始日時と訓練終了日時を用いて、訓練日時設定情報を生成する。
【００６９】
図８の設定情報８０９は通信に必要な情報８１１と訓練日時設定情報８１０などを有している。通信に必要な情報８１１は、少なくとも「送信先１」「送信先２」「送信元」などの情報を有する。「送信先１」には送信先の端末２のアドレスが記憶されている。本例では「送信先１」に端末２ｂのアドレスを示す「ａｄ＿ｔ２」が記憶されている。「送信先２」には情報管理装置１のアドレスが記憶されている。本例では「送信先２」に情報管理装置１のアドレスを示す「ａｄ＿ｓ１」が記憶されている。「送信元」には送信元の端末２のアドレスが記憶されている。本例では「送信元」に端末２ａのアドレスを示す「ａｄ＿ｔ１」が記憶されている。
【００７０】
訓練日時設定情報は、「訓練開始日時」「訓練終了日時」「仮想開始日時」などの情報を有する。「訓練開始日時」には実働する訓練を開始する日時が記憶され、本例では２０１１年１０月８日９時を示す情報「２０１１／１０／８／９：００：００」が記憶されている。「訓練終了日時」には実働する訓練を終了する日時が記憶され、本例では２０１１年１０月８日１２時を示す情報「２０１１／１０／８／１２：００：００」が記憶されている。「仮想開始日時」には実働しない訓練を開始する日時が記憶され、本例では２０１１年１０月１０日１３時３０分を示す情報「２０１１／１０／１０／１３：３０：００」が記憶されている。
【００７１】
ステップＳ９０５では、制御部４０１が訓練日時設定情報を通信インタフェース４０５へ転送し、訓練日時設定情報に通信に必要な情報を付加し、端末２から情報管理装置１に送信する。情報管理装置１が訓練日時設定情報を有する設定情報を受信すると、訓練開始日時と訓練終了日時と仮想開始日時とを情報管理装置１の記憶部２０２に記憶する。図１１のステップＳ１１０１、Ｓ１１０２を参照。
【００７２】
ステップＳ９０６では、制御部４０１が現在の日時が訓練開始日時であるか否かを判定し、訓練開始日時以上であればステップＳ９０７（Ｙｅｓ）に移行し、訓練開示日時より前の日時であればステップＳ９０６（Ｎｏ）に移行する。
【００７３】
訓練が開始されると訓練終了日時なるまで、利用者がグループ（部隊）間で通信を行うごとにステップＳ９０７〜Ｓ９０９の処理が実行される。
ステップＳ９０７では、利用者が通信をする際に作成される業務情報を情報管理装置１または他の端末２などに送信するために、制御部４０１が通信に関する設定をする。業務情報には、業務に関連する内容が含まれている。
【００７４】
ステップＳ９０７では業務情報を作成するために、ディスプレイに表示された画面を利用し、利用者により入力部から入力された業務情報に関連するデータを、制御部４０１が取得する。続いて、制御部４０１は取得したデータを用いて業務情報を作成する。
【００７５】
また、ステップＳ９０７では制御部４０１が業務情報を通信インタフェース４０５を介して送信するための通信に関する設定を行う。
ステップＳ９０８では、制御部４０１が業務情報に通信に必要な情報を付加して情報管理装置１または他の端末２などに送信する（図８を参照）。なお、ステップＳ９０８の詳細な動作については後述する。図１０を参照。
【００７６】
ステップＳ９０９では、制御部４０１がステップＳ９０８で送信した業務情報を訓練に関連付けて記憶部４０２に記憶する。情報管理装置１では、業務情報を受信すると記憶部２０２に業務情報を訓練に関連付けて記憶する（図１２を参照）。他の端末２では、業務情報を受信すると他の端末２の記憶部４０２に業務情報を訓練に関連付けて記憶する（図１０を参照）。訓練への関連付けは訓練を識別する情報（訓練名）を有するフォルダを生成し、該フォルダに業務情報を記憶することが考えられる。または、業務情報に訓練を識別する情報を付加することが考えられる。
【００７７】
また、端末２が情報管理装置１へ通信データを送信すると、通信データに含まれる業務情報を記憶部２０２に記憶した日時を、送信した業務情報に関連付けて登録日時として記憶する。
【００７８】
ステップＳ９１０では、制御部４０１が現在の日時が訓練終了日時に到達したかを判定し、訓練終了日時以上であればステップＳ９１１（Ｙｅｓ）に移行し、訓練終了日時より前の日時であればステップＳ９０７（Ｎｏ）に移行する。
【００７９】
ステップＳ９１１では訓練が終了した後、訓練中に訓練ごとに記憶部４０２に記憶した業務情報を、制御部４０１が記録媒体読取装置４０３を介して記録媒体４０７などに記憶させる。本例では、業務情報を記録媒体４０７に記憶したが、通信インタフェース４０５を用いて外部のサーバなどに記憶してもよい。なお、記録媒体４０７に記憶した業務情報は後述するＡＡＲや状態復帰の処理で使用する。
【００８０】
図１０を用いてステップＳ９０８の詳細について説明する。
図１０は、端末の訓練中の業務情報の収集の動作の一実施例を示す図である。図１０のステップＳ１００１では、利用者がディスプレイに表示された画面を利用し、入力部から入力される業務情報の送信先に関連する情報を、制御部４０１が取得する。ここで、取得した送信先の情報は利用者が通信をしようとしているグループ（部隊）で利用されている他の端末２のアドレスなどを示している。
【００８１】
ステップＳ１００２では、制御部４０１が他の端末２のアドレスを有する送信先の情報を加える。図８の場合、「送信先１」にアドレス「ａｄ＿ｔ１」またはアドレス「ａｄ＿ｔ２」を追加する。さらに、送信先として情報管理装置１のアドレスを加える。図８の場合、「送信先２」にアドレス「ａｄ＿ｓ１」を追加する。
【００８２】
ステップＳ１００３では、ステップＳ１００２で生成された送信先情報の示す送信先に業務情報が、通信インタフェース４０５を介して送信される。送信される業務情報には、通信に必要な情報も付加されている。
【００８３】
他の端末２が業務情報を受信した場合の詳細について説明する。
図１０のステップＳ１００４では、他の端末２の制御部４０１が送信元の端末２から送信された業務情報を受信したか否かを判定し、受信した場合にはステップＳ１００５（Ｙｅｓ）に移行し、受信していない場合にはステップＳ１００４（Ｎｏ）に移行する。
【００８４】
ステップＳ１００５では、他の端末２の制御部４０１が受信した業務情報を訓練に関連付けて記憶部４０２に記憶する。
情報管理装置の訓練実施時の動作について説明する。
【００８５】
図１１は、訓練実施時の情報管理装置の動作の一実施例を示すフロー図である。
ステップＳ１１０１では、情報管理装置１の制御部２０１が図９のステップＳ９０５で端末２から送信された訓練日時情報を有する設定情報を、通信インタフェース２０５を介して受信したか否かを判定する。受信した場合にはステップＳ１１０２（Ｙｅｓ）に移行し、受信していない場合にはステップＳ１１０１（Ｎｏ）に移行する。
【００８６】
ステップＳ１１０２では、制御部２０１が訓練日時情報の訓練開始日時と訓練終了日時と仮想開始日時とを訓練に関連付けて記憶部２０２に記憶する。訓練への関連付けは訓練を識別する情報（訓練名）を有するフォルダを生成し、該フォルダに業務情報を記憶することが考えられる。または、業務情報に訓練を識別する情報を付加することが考えられる。図１７の訓練情報１７０１を参照。
【００８７】
ステップＳ１１０３では、制御部２０１が現在の日時が訓練開始日時であるか否かを判定し、訓練開始日時以上であればステップＳ１１０４（Ｙｅｓ）に移行し、訓練開示日時より前の日時であればステップＳ１１０３（Ｎｏ）に移行する。例えば、端末２に備えられている時計integrated circuit（ＩＣ）により生成される日時を用いて判定をすることが考えられる。
【００８８】
ステップＳ１１０４では、図９のステップＳ９０８で端末２から送信された業務情報を有する通信データを、制御部２０１が通信インタフェース２０５を介して受信する。
ステップＳ１１０５では、制御部２０１が受信した業務情報を解析して特定情報を作成する。続いて、制御部２０１は業務情報と特定情報を記憶部２０２に格納する。図１３を参照。
【００８９】
ステップＳ１１０６では、制御部２０１が現在の日時が訓練終了日時に到達したかを判定し、訓練終了日時以上であればステップＳ１１０７（Ｙｅｓ）に移行し、訓練終了日時より前の日時であればステップＳ１１０４（Ｎｏ）に移行する。例えば、端末２に備えられている時計ＩＣにより生成される日時を用いて判定をすることが考えられる。
【００９０】
ステップＳ１１０７では訓練が終了した後、訓練中に記憶部２０２に記憶した業務情報および特定情報を、制御部２０１が記録媒体読取装置２０３を介して記録媒体２０７などに記憶させる。本例では、業務情報を記録媒体２０７に記憶したが、通信インタフェース２０５を用いて外部のサーバなどに記憶してもよい。なお、記録媒体２０７に記憶した業務情報および特定情報は後述するＡＡＲや状態復帰の処理で使用する。
【００９１】
図１２、図１３を用いてステップＳ１１０４、Ｓ１１０５の詳細について説明する。
図１２は、情報管理装置の訓練中の業務情報の収集の動作の一実施例を示す図である。図１３は、業務情報、定義情報、特定情報のデータ構造の一実施例を示す図である。
【００９２】
ステップＳ１２０１では、情報管理装置１が端末２から送信された業務情報を含む通信データを受信したいか否かを制御部２０１が判定し、受信した場合にはステップＳ１２０２（Ｙｅｓ）に移行し、受信していない場合にはステップＳ１２０１（Ｎｏ）に移行する。
【００９３】
ステップＳ１２０２では、制御部２０１が受信した通信データに含まれる業務情報を用いて、定義情報を参照し、特定情報を生成する。図１３に示す定義情報１３０２を参照し、図１３に示す特定情報１３０３を生成する。
【００９４】
例えば、情報管理装置１が端末２から通信データを受信すると、通信データに含まれる業務情報を記憶して業務情報１３０１を生成する。また、情報管理装置１が端末２から通信データを受信すると、通信データに含まれる業務情報を記憶部２０２に記憶した日時を業務情報に関連付けて登録日時として記憶する。図１３の登録日時情報１３０４を参照。
【００９５】
図１３の業務情報１３０１の「種別」には「ｔｙｐｅ１」「ｔｙｐｅ２」・・・・が記憶され、「グループ」には「ｇｒ１」「ｇｒ２」・・・・が記憶されている。「送信日時」には「２０１１／１０／８／９：３０：０１」「２０１１／１０／８／１０：００：０４」・・・「２０１１／１０／８／１０：３０：０３」「２０１１／１０／８／１０：３０：０４」・・・・が記憶されている。「内容」には「ｄａｔａ１」「ｄａｔａ２」「ｄａｔａ３」「ｄａｔａ４」・・・・が記憶されている。
【００９６】
また、登録日時情報１３０４の「登録日時」には「２０１１／１０／８／９：３０：０２」「２０１１／１０／８／１０：００：３０」・・・「２０１１／１０／８／１０：３０：０５」「２０１１／１０／８／１０：３０：０９」・・・・が記憶されている。登録日時は、情報管理装置１が通信データを記憶部２０２に記憶した日時を示している。
【００９７】
図１３の定義情報１３０２は「種別」「特定要素」に記憶される情報を有している。「種別」には業務を識別する情報「ｔｙｐｅ１「ｔｙｐｅ２」「ｔｙｐｅ３」・・・・が記憶されている。「特定要素」には、「種別」に記憶されている情報各々に対応する要素が記憶されている。「ｔｙｐｅ１」には「グループ」「送信日時」「要素１」、「ｔｙｐｅ２」には「グループ」「送信日時」「要素Ａ」「要素Ｃ」、「ｔｙｐｅ３」には「グループ」「送信日時」「要素α」が記憶されている。「グループ」は業務情報の「グループ」に記憶されている情報を抽出するための情報で、「送信日時」は業務情報の「送信日時」に記憶されている情報を抽出するための情報である。「要素１」「要素Ａ」「要素Ｃ」「要素α」は、業務情報の「内容」に記憶されている要素を抽出するための情報である。
【００９８】
図１３の特定情報１３０３には特定された情報を抽出した結果が示されている。特定情報１３０３の「種別」の最初の行は、業務情報１３０１の最初の行から定義情報の「ｔｙｐｅ１」に関連する情報を抽出した結果である。すなわち、「グループ」「送信日時」「要素１」に対応する「ｇｒ１」「２０１１／１０／８／９：３０：０１」「ｅｌ１ａ」が抽出される。なお、「ｅｌ１ａ」は業務情報の「ｄａｔａ１」を構成する「要素１」に対応する情報である。特定情報１３０３の「種別」の２行目は、業務情報１３０１の２行目から定義情報の「ｔｙｐｅ１」に関連する情報を抽出した結果である。すなわち、「グループ」「送信日時」「要素１」に対応する「ｇｒ１」「２０１１／１０／８／０１：００：０４」「ｅｌ１ｂ」が抽出される。なお、「ｅｌ１ｂ」は業務情報の「ｄａｔａ１」を構成する「要素１」に対応する情報である。
【００９９】
特定情報１３０３の「種別」の・・・・後の最初の行は、業務情報１３０１の・・・・後の最初の行から定義情報の「ｔｙｐｅ２」に関連する情報を抽出した結果である。すなわち、「グループ」「送信日時」「要素Ａ」「要素Ｃ」に対応する「ｇｒ２」「２０１１／１０／８／１０：３０：０３」「ｅｌＡａ」「ｅｌＣａ」が抽出される。なお、「ｅｌＡａ」「ｅｌＣａ」は業務情報の「ｄａｔａ２」を構成する「要素Ａ」「要素Ｃ」に対応する情報である。特定情報１３０３の「種別」の・・・・後の２行目は、業務情報１３０１の・・・・後の２行目から定義情報の「ｔｙｐｅ２」に関連する情報を抽出した結果である。すなわち、「グループ」「送信日時」「要素α」に対応する「ｇｒ２」「２０１１／１０／８／１０：３０：０４」「要素Ａｂ」「要素Ｃｂ」が抽出される。なお、「ｅｌＡｂ」「ｅｌＣｂ」は業務情報の「ｄａｔａ２」を構成する「要素Ａ」「要素Ｃ」に対応する情報である。
【０１００】
ステップＳ１２０３では、制御部２０１がステップＳ１２０２で生成した特定情報を訓練に関連付けて記憶部２０２に記憶する。ステップＳ１２０４では、制御部２０１が受信した業務情報を訓練に関連付けて記憶部２０２に記憶する。すなわち、図１３の業務情報１３０１と特定情報１３０３は訓練ごとに関連付けられて記憶される。後述する統合情報（図１７の統合情報１７０２）を参照。
【０１０１】
ＡＡＲ実施時の説明をする。
端末のＡＡＲ実施時の動作について説明する。
図１４は、ＡＡＲに用いる情報管理装置と端末の関係を示す一実施例を示す図である。図１４に示すＡＡＲに用いる端末２は、訓練終了後または状態復帰後にＡＡＲを実施する場合に、訓練中に取得した業務情報や特定情報などを取得し、ＡＡＲに用いる表示画面を生成して利用者に提示する。また、図１４に示すように情報管理装置が複数あり、情報管理装置１ａをＡＡＲで用いる場合には、情報管理装置１ｂが有する業務情報や特定情報などを、情報管理装置１ｂから情報管理装置１ａに送信または記録媒体を用いて記憶させ、統合させる。このとき、業務情報と特定情報などは訓練ごとに割り振って統合情報を生成し、記憶する。図１７の統合情報１７０２を参照。
【０１０２】
図１５、図１６は、ＡＡＲ実施時の端末の動作の一実施例を示すフロー図である。
ステップＳ１５０１では、ＡＡＲに用いる情報管理装置１に記憶されている統合情報を検索して訓練一覧を表示させるための訓練検索要求を制御部４０１が生成し、通信インタフェース４０５を介して訓練検索要求を情報管理装置１に送信する。
【０１０３】
情報管理装置１が訓練検索要求を受信すると、情報管理装置１は記憶部２０２を検索して訓練情報を取得し、取得した訓練情報を訓練検索結果情報とし訓練検索要求に対する訓練検索結果情報を生成する。訓練検索結果情報は、記憶部２０２に記憶されている過去に実施した訓練各々に関連する訓練開始日時と訓練終了日時と仮想開始日時を有する。
【０１０４】
図１７は、訓練情報と統合情報と選択画面情報のデータ構造の一実施例と、選択画面の一実施例を示す図である。訓練情報は訓練実施中に生成され、情報管理装置１の記憶部２０２に記憶される。図１１のステップＳ１１０２を参照。
【０１０５】
図１７の訓練情報１７０１は、「訓練識別」「訓練開始日時」「訓練終了日時」「仮想開始日時」「記憶場所」に記憶される情報を有している。「訓練識別」は訓練各々を識別する情報で、本例では「訓練１」「訓練２」・・・・が記憶されている。「訓練開始日時」には「訓練識別」各々に対応する実働する訓練の開始日時が記憶され、本例では「訓練１」に対応させて「２０１１／１０／８／９：００：００」が記憶され、「訓練２」に対応させて「２０１１／１０／１０／９：００：００」が記憶されている。「訓練終了日時」には「訓練識別」各々に対応する実働する訓練の終了日時が記憶され、本例では「訓練１」に対応させて「２０１１／１０／８／１２：００：００」が記憶され、「訓練２」に対応させて「２０１１／１０／１０／１２：００：００」が記憶されている。「仮想開始日時」には「訓練識別」各々に対応する実働しない訓練の終了日時が記憶され、本例では「訓練１」に対応させて「２０１１／１０／１０／１３：３０：００」が記憶され、「訓練２」に対応させて「２０１１／１０／１５／１３：３０：００」が記憶されている。「記憶場所」には「訓練識別」各々に関連する情報（通信データなど）の記憶場所が記憶されている。実働する訓練を実施した場合、訓練１に対応した情報管理装置１ａには該訓練１で用いられた通信データが記憶され、訓練２に対応した情報管理装置１ｂには該訓練２で用いられた通信データが記憶される。そして、情報管理装置１ａの記憶部には訓練１に対応するフォルダ１が設けられ、情報管理装置１ｂには訓練２に対応するフォルダ２が設けられる。フォルダ１には訓練１に関連する通信データが記憶され、フォルダ２には訓練２に関連する通信データが記憶される。本例では、情報管理装置１ａに情報管理装置１ｂのフォルダ２を複写し、情報管理装置１ａがフォルダ１とフォルダ２を有している状態を示している。「訓練１」に関連する情報が記憶場所「フォルダ１」に記憶され、「訓練２」に関連する情報が記憶場所「フォルダ２」に記憶されている。
【０１０６】
実際には、情報管理装置１ａに情報管理装置１ｂのフォルダ２を複写しなくてもよい。
図１７の統合情報１７０２は訓練情報１７０１の「記憶場所」に示されている「フォルダ１」と「フォルダ２」に記憶されている情報と関連付けられ、「フォルダ識別」「識別データ」に記憶される情報を有している。「フォルダ識別」は、訓練情報１７０１の「記憶場所」に記憶されているフォルダを識別する情報が記憶されている。本例では、「フォルダ１」「フォルダ２」・・・・が記憶されている。「データ」には「フォルダ識別」に記憶されているフォルダに含まれる情報が記憶されている。本例では、「フォルダ１」「フォルダ２」に含まれる業務情報や特定情報などが「データ」に記憶されていることを示している。なお、本例において「フォルダ１」「フォルダ２」それぞれに対応させて「業務情報」「特定情報」・・・・を記載している。実際には、「業務情報」には訓練中に複数の端末２から受信した複数の業務情報と訓練後に統合した複数の業務情報が記憶されているが、説明を簡単にするために「業務情報」とだけ記載している。また、「特定情報」には訓練中に複数の端末２から受信した複数の特定情報と訓練後に統合した複数の特定情報が記憶されているが、説明を簡単にするために「特定情報」とだけ記載している。また、「フォルダ１」「フォルダ２」それぞれには業務情報、特定情報以外のデータを記憶してもよい。
【０１０７】
ステップＳ１５０２では、制御部４０１が通信インタフェース４０５を介して情報管理装置１から送信された訓練検索結果情報を受信したか否かを判定し、受信した場合にはステップＳ１５０３（Ｙｅｓ）に移行する。受信していない場合にはステップＳ１５０２（Ｎｏ）に移行する。
【０１０８】
ステップＳ１５０３では、制御部４０１が訓練検索結果情報を用いて選択画面を生成し、端末２のディスプレイに表示する。選択画面は、ＡＡＲを実施する訓練を利用者が選択する場合に用いる。また、選択画面は選択画面情報を用いて生成される。
【０１０９】
図１７の選択画面情報１７０３は「表示項目」「表示位置」「表示サイズ」が有する情報を記憶している。「表示項目」には選択画面であることを示す情報が記憶され、本例では選択画面に表示される表示領域「選択画面」「リスト１」「リスト２」「リスト３」が記憶されている。図１７の選択画面１７０４を参照。「表示位置」には「表示項目」に対応する表示領域のディスプレイ上の表示位置を示す情報が記憶されている。本例では、表示領域「選択画面」「リスト１」「リスト２」「リスト３」に対応する表示座標「Ｘａ，Ｙａ」「Ｘｂ，Ｙｂ」「Ｘｃ，Ｙｃ」「Ｘｄ，Ｙｄ」が記憶されている。表示座標は、表示領域の中心位置などを示す座標である。「表示サイズ」には「表示項目」に対応する表示領域の形状に関する情報が記憶されている。本例では、表示領域「選択画面」「リスト１」「リスト２」「リスト３」に対応する形状に関する情報「ｓｉｚｅ１」「ｓｉｚｅ２」「ｓｉｚｅ３」「ｓｉｚｅ４」が記憶されている。「ｓｉｚｅ１」「ｓｉｚｅ２」「ｓｉｚｅ３」「ｓｉｚｅ４」は、例えば、円形、楕円、四角形、三角形などの表示領域の形を示す情報と、形の情報各々に関連する表示領域の大きさを示す情報と、表示領域に表示する文字列の情報などを示している。なお、表示領域の色を示すことが考えられる。
【０１１０】
図１７の選択画面１７０４は、選択画面であることを示す表示領域１７０５、訓練１〜訓練３を選択するための表示領域１７０６〜１７０８を有している。
表示領域１７０５には「選択画面」が表示されている。図１７の選択画面情報１７０３の「表示項目」の「選択画面」、「表示位置」の「Ｘａ，Ｙａ」、「表示サイズ」の「ｓｉｚｅ１」を参照。
【０１１１】
表示領域１７０６には「訓練１  訓練開始日時１〜訓練終了日時１  仮想開始日時１」が表示されている。表示領域１７０７には「訓練２  訓練開始日時２〜訓練終了日時２  仮想開始日時２」が表示されている。表示領域１７０８には「訓練３  訓練開始日時３〜訓練終了日時３  仮想開始日時３」が表示されている。表示領域１７０６〜１７０８の「訓練１」「訓練２」「訓練３」は訓練を識別する情報（訓練名）などである。「訓練１」「訓練２」「訓練３」は表示させなくてもよい。表示領域１７０６〜１７０８の「訓練開始日時１〜訓練終了日時１」「訓練開始日時２〜訓練終了日時２」「訓練開始日時３〜訓練終了日時３」には、訓練各々に対応する実働する訓練開始日時と訓練終了日時が表示される。実際には日時が表示される。表示領域１７０６〜１７０８の「仮想開始日時１」「仮想開始日時２」「仮想開始日時３」には、訓練各々に対応する実働しない仮想開始日時が表示される。実際には日時が表示される。表示領域１７０６は、図１７の選択画面情報１７０３の「表示項目」の「リスト１」、「表示位置」の「Ｘｂ，Ｙｂ」、「表示サイズ」の「ｓｉｚｅ２」を参照して生成される。表示領域１７０７は、図１７の選択画面情報１７０３の「表示項目」の「リスト２」、「表示位置」の「Ｘｃ，Ｙｃ」、「表示サイズ」の「ｓｉｚｅ３」を参照して生成される。表示領域１７０８は、図１７の選択画面情報１７０３の「表示項目」の「リスト３」、「表示位置」の「Ｘｄ，Ｙｄ」、「表示サイズ」の「ｓｉｚｅ４」を参照して生成される。
【０１１２】
ステップＳ１５０４では、利用者により選択画面に表示されている表示領域によりＡＡＲを実施する訓練が選択されると、選択された表示領域に対応する訓練に関連する情報を情報管理装置１から取得するために用いる選択情報要求を、制御部４０１が生成する。選択情報要求は、訓練に関連する訓練開始日時と訓練終了日時と仮想開始日時とを有する情報と、通信に必要な情報とを有する。
【０１１３】
ステップＳ１５０５では、制御部４０１が通信インタフェース４０５を介して情報管理装置１に選択情報要求を送信する。
情報管理装置１が選択情報要求を受信すると、選択情報要求に含まれている訓練開始日時と訓練終了日時と仮想開始日時を用いて、情報管理装置１は記憶部２０２を検索して訓練を特定する。すなわち、受信した訓練開始日時と訓練終了日時と仮想開始日時に一致する訓練を特定し、訓練に対応するフォルダを特定する。フォルダの特定が完了すると、ＡＡＲで用いる端末２にフォルダの特定が完了したことを示す通知を行うことが考えられる。
【０１１４】
ステップＳ１５０６では、フォルダの特定が完了した後、制御部４０１が状況表示画面を生成するために表示条件情報を生成する。表示条件情報は、ステップＳ１５０５で特定したフォルダから後述する状況表示画面を表示させるために必要な情報（後述する表示結果情報）を情報管理装置１から取得するための情報である。例えば、業務、グループ、送信日時などを取得するための情報である。なお、表示条件情報には表示条件情報であることを示す情報を有する。
【０１１５】
ステップＳ１５０７では、制御部４０１が通信インタフェース４０５を介して情報管理装置１に表示条件情報を送信する。
情報管理装置１が表示条件情報を受信すると、記憶部２０２から表示条件情報の有する情報に基づいて、業務情報または特定情報に記憶されている「種別」「グループ」「送信日時」「内容」を取得する。続いて、取得した情報と、後述する状況表示画面を表示する業務を分類するための分類定義情報と、を用いて表示結果情報を生成する。その後、表示結果情報をＡＡＲで用いる端末２に送信する。
【０１１６】
なお、「内容」に含まれる「要素」に「有効日時情報」があるか否かを判定し、有効日時情報が含まれている場合には有効日時を「送信日時」として用いて表示結果情報を生成する。
【０１１７】
ステップＳ１５０８では、制御部４０１が通信インタフェース４０５を介して表示結果情報を受信したか否かを判定し、受信した場合にはステップＳ１５０９（Ｙｅｓ）に移行し、受信していない場合にはステップＳ１５０８（Ｎｏ）に移行する。
【０１１８】
図１６に示すステップＳ１５０９では、制御部４０１が表示結果情報と分類定義情報を用いて状況表示画面を表示させるための情報を生成し、生成した情報を用いて状況表示画面をディスプレイに表示する。ただし、ステップＳ１５０９で生成される状況表示画面は初期表示となる。
【０１１９】
図１８、図１９、図２０を用いて状況表示画面の生成について説明する。例えば、図１８に示すような表示結果情報１８０１を端末２が受信し、分類定義情報１８０２が端末２の記憶部４０２に記憶され、表示結果情報１８０１と分類定義情報１８０２を用いて図１９に示す状況表示画面を生成する場合について説明する。
【０１２０】
図１８は、表示結果情報、分類定義情報、表示位置情報、状況表示画面情報のデータ構造の一実施例を示す図である。
表示結果情報１８０１は、受信した表示条件情報の有する業務情報または特定情報に記憶されている「種別」「グループ」「送信日時」を有している。本例では、「種別」には「ｔｙｐｅ１」「ｔｙｐｅ２」・・・・が記憶され、「グループ」には「ｇｒ１」「ｇｒ２」・・・・が記憶されている。「送信日時」には「２０１１／１０／８／９：３０：０１」「２０１１／１０／８／１０：００：０４」・・・「２０１１／１０／８／１０：３０：０３」「２０１１／１０／８／１０：３０：０４」・・・・が記憶されている。なお、「送信日時」には、「内容」に含まれる「要素」に「有効日時情報」があった場合には、有効日時が記憶されている。
【０１２１】
分類定義情報１８０２は「種別」「色」「形状」に記憶される情報を有している。「種別」には業務を種別する情報として、本例では、「ｔｙｐｅ１」「ｔｙｐｅ２」「ｔｙｐｅ３」「ｔｙｐｅ４」・・・・が記憶されている。「色」には状況表示画面に表示する種別（業務の種別）それぞれを表す領域の色を示す情報が記憶され、本例では色を示す情報「ｃｏｌｏｒ１」「ｃｏｌｏｒ２」「ｃｏｌｏｒ３」「ｃｏｌｏｒ４」・・・・が記憶されている。色は、例えば、水色、黄色、緑などが考えられる。ただし、色は上記に限定されるものではない。「形状」には状況表示画面に表示する種別（業務の種別）それぞれを表す領域の形状を示す情報が記憶され、本例では形状を示す情報「ｆｏｒｍ１」「ｆｏｒｍ２」「ｆｏｒｍ３」「ｆｏｒｍ４」・・・・が記憶されている。形状は、例えば、円形、楕円、四角形、三角形などが考えられる。ただし、形状は上記に限定されるものではない。また、「形状」には、形状に対応する表示領域の大きさを示す情報などを示している。
【０１２２】
表示位置情報１８０３は、「送信日時」「表示位置」に記憶される情報を有している。
「送信日時」には、本例では表示結果情報１８０１に対応する「２０１１／１０／８／９：３０：０１」「２０１１／１０／８／１０：００：０４」・・・「２０１１／１０／８／１０：３０：０３」「２０１１／１０／８／１０：３０：０４」・・・・が記憶されている。「表示位置」には、「送信日時」に記憶されているそれぞれの情報に対応する表示位置が記憶されている。本例では、表示位置として「Ｘ１,Ｙ１」「Ｘ２,Ｙ２」・・・「Ｘ３,Ｙ３」「Ｘ４,Ｙ４」・・・・が記憶されている。表示位置は、例えば、図１９に示す状況表示画面１９０１の表示領域１９０８、１９０９、１９１０の位置を決める座標である。
【０１２３】
表示位置情報１８０４は「スライダーバー表示位置」に記憶される情報を有している。「スライダーバー表示位置」には、例えば、図１９に示す状況表示画面１９０１の表示領域１９０４、１９０７ａ、１９０７ｂの位置を決める座標である。スライダーバーの表示領域１９０４には訓練開始日時と訓練終了日時により設定された期間が表示され、表示領域１９０７ａを移動させると表示領域１９０７ｂも一緒に移動する。本例では、訓練開始日時「２０１１／１０／８／９：００：００」と訓練終了日時「２０１１／１０／８／１２：００：００」に対応する表示「９：００」と「１２：００」が表示されている。
【０１２４】
状況表示画面情報１８０５は、「表示項目」「表示位置」「表示サイズ」「表示データ」が有する情報を記憶している。「表示項目」には状況表示画面であることを示す情報が記憶され、本例では状況表示画面に表示される表示領域「状況表示画面」「地図」「スライダーバー」「業務表示」が記憶されている。図１９の状況表示画面１９０１の表示領域１９０２〜１９０５を参照。
【０１２５】
「表示位置」には「表示項目」に対応する表示領域のディスプレイ上の表示位置を示す情報が記憶されている。本例では、表示領域「状況表示画面」「地図」「スライダーバー」「業務表示」に対応する表示座標「Ｘｅ，Ｙｅ」「Ｘｆ，Ｙｆ」「Ｘｇ，Ｙｇ」「Ｘｈ，Ｙｈ」が記憶されている。表示座標は、表示領域の中心位置などを示す座標である。
【０１２６】
「表示サイズ」には「表示項目」に対応する表示領域の形状に関する情報が記憶されている。本例では、表示領域「状況表示画面」「地図」「スライダーバー」「業務表示」に対応する形状に関する情報「ｓｉｚｅ５」「ｓｉｚｅ６」「ｓｉｚｅ７」「ｓｉｚｅ８」が記憶されている。「ｓｉｚｅ５」「ｓｉｚｅ６」「ｓｉｚｅ７」「ｓｉｚｅ８」は、例えば、円形、楕円、四角形、三角形などの表示領域の形を示す情報と、形の情報各々に関連する表示領域の大きさを示す情報などを示している。なお、表示領域の色を示すことが考えられる。
【０１２７】
「表示データ」には「表示項目」に対応する表示領域に表示する文字列、地図などに関する情報が記憶されている。本例では、表示領域「状況表示画面」「地図」「スライダーバー」「業務表示」に対応する情報「ｄａｔａ５」「ｄａｔａ６」「ｄａｔａ７」「ｄａｔａ８」が記憶されている。「ｄａｔａ５」には文字列「状況表示画面」を表示するための情報などを示している。「ｄａｔａ６」には地図を表示するための情報などを示している。「ｄａｔａ７」にはスライダーバーを表示する表示領域１９０７ａ、１９０７ｂのスライダーバー表示位置を示す情報などを示している。「ｄａｔａ８」には業務表示を表示する表示領域１９０５に関連する、グループ、業務（通信データ）などの情報などを示している。
【０１２８】
図１９は、状況表示画面の一実施例を示す図である。
状況表示画面は選択画面を用いて訓練が特定された後に表示される。図１９の状況表示画面１９０１には、状況表示画面であることを示す表示領域１９０２、訓練に関連する地図を表示するための表示領域１９０３、スライダーバーを表示するための表示領域１９０４、業務（通信データ）を表示するための表示領域１９０５有している。ただし、表示の仕方は図１９に示す配置に限定されるものではなく、少なくとも上記表示領域１９０２〜１９０５を有していればよい。
【０１２９】
表示領域１９０２には、状況表示画面であることを示す以外にスライダーバーの示す時間を表示してもよい。
また、表示領域１９０３に示されている地図には、スライダーバーにより決定される日時にグループ１、２（部隊）が存在した位置を表示してもよい。おお、地図に関する情報は、例えば、記憶部４０２または外部の記憶部に記憶しておくことが考えられる。
【０１３０】
表示領域１９０６ａ、１９０６ｂは、表示領域１９０５に現在表示されている業務がグループ１、２に関連することを示している。表示領域１９０８、１９０９、１９１０は、表示結果情報、分類定義情報、表示位置情報を用いて決定された業務（通信データ）を示す情報である。表示領域１９０８、１９１０はグループ１に属し、表示領域１９０９はグループ２に属することを示している。
【０１３１】
図２０は、状況表示画面の生成処理の一実施例を示すフロー図である。ステップＳ２００１では、制御部４０１が表示結果情報の未処理の行を取得する。表示結果情報１８０１の場合であれば、「種別」「日時」「送信日時」に記憶されている情報を、例えば、最上位の行「ｔｙｐｅ1」「ｇｒ１」「２０１１／１０／８／９：３０：０１」から順に取得することが考えられる。ただし、順番は限定されるものではない。
【０１３２】
ステップＳ２００２では、制御部４０１が取得した「種別」に対応するグループ、色、形状を特定する。グループの特定は、取得した行の「グループ」に記憶されているグループを用いて行う。色と形状は、例えば、取得した「種別」を用いて分類定義情報を参照して特定する。
【０１３３】
ステップＳ２００３では、制御部４０１が業務の表示位置を求める。例えば、業務（通信データ）を表示する表示領域１９０５に表示する表示領域１９０８、１９０９、１９１０の表示位置を求める。取得した行の送信日時と訓練開始日時と訓練終了日時と、表示領域１９０５のサイズを用いて、表示位置を求める。まず、取得した行の送信日時が訓練開始日時と訓練終了日時で表される期間のどの位置にあるかを比または比率によって表す。訓練開始日時と訓練終了日時で表される期間９：００〜１２：００の期間で、取得した行の送信日時が９：３０であれば、１：５または１／６などを求める。続いて、図１９の例では、表示領域１９０５の訓練開始日時９：００から訓練終了日時１２：００の横幅（サイズ）と、求めた比または比率とを用いて表示位置を求める。その後、ステップＳ２００２で特定したグループ、色、形状と関連付けて記憶する。表示位置情報１８０３〜１８０５を参照。
【０１３４】
ステップＳ２００４では、制御部４０１が取得した表示結果情報の全ての行について上記ステップＳ２００１〜Ｓ２００３の処理をしたか否を判定し、全て判定をした場合にはステップＳ２００５（Ｙｅｓ）に移行する。未処理の行がある場合にはステップＳ２００１（Ｎｏ）に移行する。
【０１３５】
ステップＳ２００５では、制御部４０１がスライダーバーの表示位置を求める。ただし、初期表示の場合には、例えば、訓練開始日時に対応する表示位置をスライダーバーの表示位置とすることが考えられる。表示位置情報１８０４を参照。
【０１３６】
ステップＳ２００６では、制御部４０１が状況表示画面情報を生成する。状況表示画面情報１８０５を参照。例えば、状況表示画面情報１８０５を用いて状況表示画面１９０１がディスプレイ上に表示される。
【０１３７】
図１５のフロー図の説明に戻る。
ステップＳ１５１０では、状況表示画面の業務（通信データ）を表示するための表示領域に表示されている、業務に対応する表示領域を、利用者が入力部を用いて選択した場合、ステップＳ１５１１（Ｙｅｓ）に移行する。例えば、図１９の表示領域１９０８、１９０９、１９１０が選択された場合などが考えられる。また、スライダーバーを移動して業務が選択された場合にはステップＳ１５１２（Ｎｏ）に移行する。例えば、図１９の表示領域１９０７ａが移動され、表示領域１９０８、１９０９、１９１０が選択された場合などが考えられる。すなわち、制御部４０１が業務に対応する表示領域が選択されたことを検出するとステップＳ１５１１（Ｙｅｓ）に移行し、スライダーバーにより業務が選択されたことを検出するとステップＳ１５１２（Ｎｏ）に移行する。
【０１３８】
ステップＳ１５１１では、制御部４０１がディスプレイに表示する詳細表示画面を表示する処理を実行する。詳細については図２２（端末と情報管理装置のフロー図）、図２３（特定情報、業務情報）、図２４（詳細画面）を用いて後述する。
【０１３９】
ステップＳ１５１２では、制御部４０１がスライダーバーにより業務が選択された日時を状況表示画面の地図（表示領域１９０３）に反映させるための処理を実行する。詳細については図２５（端末側）、図２６（情報管理装置側）を用いて後述する。
【０１４０】
ステップＳ１５１３では、制御部４０１が状況表示画面および詳細画面などの表示を終了させる要求を入力部より受信した場合には処理を終了（Ｙｅｓ）し、状況表示画面および詳細画面を表示させる処理を続ける場合にはステップＳ１５１０（Ｎｏ）に移行する。
【０１４１】
情報管理装置のＡＡＲ実施時の動作について説明する。
図２１は、ＡＡＲ実施時の情報管理装置の動作の一実施例を示すフロー図である。ステップＳ２１０１では統合情報を生成する。例えば、ＡＡＲに用いる情報管理装置１ａと他の情報管理装置１ｂが有する業務情報や特定情報などを、情報管理装置１ｂから情報管理装置１ａに送信または記録媒体（ＳＤメモリカードなど）を用いて記憶させ、業務情報や特定情報を統合させる。
【０１４２】
ステップＳ２１０２では、制御部２０１が通信インタフェース２０５を介してＡＡＲに用いる端末２から送信された訓練検索要求を受信したか否かを判定し、受信した場合にはステップＳ２１０３（Ｙｅｓ）に移行する。訓練検索要求を受信できない場合にはステップＳ２１０２（Ｎｏ）に移行する。
【０１４３】
ステップＳ２１０３で訓練検索要求を受信すると、情報管理装置１の制御部２０１が記憶部２０２を検索して訓練情報を取得し、取得した訓練情報を訓練検索結果情報とし訓練検索要求に対する訓練検索結果情報を生成する。
【０１４４】
ステップＳ２１０４では、制御部２０１が通信インタフェース２０５を介して訓練検索結果情報を端末２に送信する。
ステップＳ２１０５では、制御部２０１が通信インタフェース２０５を介して選択情報要求を受信したか否かを判定し、受信した場合にはステップＳ２１０６（Ｙｅｓ）に移行する。選択情報要求を受信できない場合にはステップＳ２１０５（Ｎｏ）に移行する。
【０１４５】
ステップＳ２１０６で選択情報要求を受信すると、制御部２０１が選択情報要求に含まれている訓練開始日時と訓練終了日時と仮想開始日時を用いて、記憶部２０２を検索して訓練を特定する。すなわち、受信した訓練開始日時と訓練終了日時と仮想開始日時に一致する訓練を特定し、訓練に対応するフォルダを特定する。フォルダの特定が完了すると、ＡＡＲで用いる端末２にフォルダの特定が完了したことを示す通知を行うことが考えられる。
【０１４６】
ステップＳ２１０７では、制御部２０１が通信インタフェース４０５を介して表示条件情報を受信したか否かを判定し、受信した場合にはステップＳ２１０８（Ｙｅｓ）に移行する。表示条件情報を受信できない場合にはステップＳ２１０７（Ｎｏ）に移行する。
【０１４７】
ステップＳ２１０８で表示条件情報を受信すると、制御部２０１が表示条件情報の有する情報に基づいて、業務情報または特定情報に記憶されている「種別」「グループ」「送信日時」を取得し、後述する状況表示画面を表示するために用いる表示結果情報を生成する。
ステップＳ２１０９では、制御部２０１が通信インタフェース４０５を介して表示結果情報をＡＡＲで用いる端末２に送信する。
【０１４８】
図２２〜図２４を用いて詳細画面を表示させる処理について説明する。
図２２は、端末と情報管理装置の詳細画面を表示させる処理の一実施例を示すフロー図である。図２３は、特定情報と業務情報と詳細画面の表示結果情報と詳細画面情報のデータ構造の一実施例を示す図である。図２４は、詳細画面の一実施例を示す図である。
【０１４９】
端末の詳細画面を表示させる処理について説明する。
ステップＳ２２０１では、ＡＡＲに用いる端末２の制御部４０１が詳細画面を表示する要求を受信する。例えば、状況表示画面１９０１の業務を表示するための表示領域１９０５に表示されている、業務に対応する表示領域１９０８〜１９１０のいずれかが利用者により入力部を用いて選択された場合、選択された業務に対応する詳細画面を表示する要求を受信する。
【０１５０】
ステップＳ２２０２では、制御部４０１が詳細画面の表示条件情報を生成する。詳細画面の表示条件情報は、詳細画面を表示させるために必要な情報（後述する詳細画面の表示結果情報）を情報管理装置１から取得するための情報である。例えば、業務、グループ、送信日時、要素を取得するための情報である。なお、詳細画面の表示条件情報には、該表示条件情報が詳細画面の表示条件情報であることを示す情報を有する。
【０１５１】
ステップＳ２２０３では、制御部４０１が通信インタフェース４０５を介して情報管理装置１に詳細画面の表示条件情報を送信する。
ステップＳ２２０４では、制御部４０１が通信インタフェース４０５を情報管理装置１から詳細画面の表示結果情報を介して取得したか否かを判定し、取得した場合にはステップＳ２２０５（Ｙｅｓ）に移行する。未取得の場合にはステップＳ２２０４（Ｎｏ）に移行する。詳細画面の表示結果情報については後述する。
【０１５２】
ステップＳ２２０５では、制御部４０１が詳細画面の表示結果情報を用いて詳細画面を表示する。例えば、図２４に示す詳細画面２４０１を表示する。ただし、有効日時は業務情報に表示させない。図２４の詳細画面２４０１は、詳細画面であることを示す表示領域２４０２、詳細情報を表示する表示領域２４０３を有している。表示領域２４０３は、表示領域２４０４〜２４１１を有している。表示領域２４０４には文字列「グループ」を表示し、表示領域２４０５には文字列「日時」を表示し、表示領域２４０６には文字列「業務情報」を表示する。表示領域２４０７には表示領域２４０４に対応するグループを識別する「ｇｒ１」を表示し、表示領域２４０８には表示領域２４０５に対応する業務を実施した日時「２０１１／１０／８／９：３０：０１」を表示する。表示領域２４０９〜２４１１には表示領域２４０６に対応する業務の内容を示す「ｅｌ１ａ」「ｅｌ１ｂ」「ｅｌ１ｃ」を表示する。上記詳細画面に表示領域それぞれを表示させる詳細画面情報は、例えば、図２３に示す詳細画面情報２３０４などが考えられる。
【０１５３】
詳細画面情報２３０４は、「表示項目」「表示位置」「表示サイズ」「表示データ」が有する情報を記憶している。「表示項目」には詳細画面であることを示す情報が記憶され、本例では詳細画面に表示される表示領域「詳細画面」「詳細情報」が記憶されている。図２４の詳細画面２４０１の表示領域２４０２、２４０３を参照。
【０１５４】
「表示位置」には「表示項目」に対応する表示領域のディスプレイ上の表示位置を示す情報が記憶されている。本例では、表示領域「詳細画面」「詳細情報」に表示される表示領域２４０２〜２４１１に対応する表示座標「Ｘｋ，Ｙｋ」「Ｘｌ，Ｙｌ」・・・・が記憶されている。表示座標は、表示領域の中心位置などを示す座標である。なお、「Ｘｌ，Ｙｌ」以降には詳細画面２４０１に表示される表示領域２４０４〜２４１１に関連する情報が記憶されている。
【０１５５】
「表示サイズ」には「表示項目」に対応する表示領域の形状に関する情報が記憶されている。本例では、表示領域「詳細画面」「詳細情報」に表示される表示領域２４０２〜２４１１に対応する形状に関する情報「ｓｉｚｅ９」「ｓｉｚｅ１０」が記憶されている。「ｓｉｚｅ９」「ｓｉｚｅ１０」は、例えば、円形、楕円、四角形、三角形などの表示領域の形を示す情報と、形の情報各々に関連する表示領域の大きさを示す情報などを示している。なお、表示領域の色を示すことが考えられる。
【０１５６】
「表示データ」には「表示項目」に対応する表示領域に表示する文字列などに関する情報が記憶されている。本例では、表示領域「詳細画面」「詳細情報」に表示される表示領域２４０２〜２４１１に対応する情報「ｄａｔａ９」「ｄａｔａ１０」が記憶されている。例えば、文字列を表示するための情報などを示している。
【０１５７】
情報管理装置の詳細画面を表示させる処理について説明する。
ステップＳ２２０６では、ＡＡＲに用いる情報管理装置１の制御部２０１が詳細画面の表示条件情報を受信したか否かを判定し、受信した場合にはステップＳ２２０７（Ｙｅｓ）に移行し、未受信の場合にはステップＳ２２０６（Ｎｏ）に移行する。
【０１５８】
ステップＳ２２０７では、制御部２０１が詳細画面の表示結果情報を生成する。例えば、図１９の表示領域１９０８の詳細情報を表示する場合には、取得した詳細画面の表示条件情報に含まれる「送信日時」（有効日時または送信日時）を用いて、図２３の特定情報２３０１の「送信日時」または「有効日時」と一致する行を取得する。続いて、取得した行に対応する業務情報２３０２を、記憶部２０２を検索して検出する。そして、特定情報２３０１の「内容の要素」の「ｅｌ１ａ」に関連する業務情報２３０２の「内容」に記憶されている「ｅｌ２ａ」「ｅｌ３ａ」を検出し、詳細画面の表示結果情報２３０３を生成する。表示結果情報２３０３は、図２４の表示領域１９０８に関連する詳細画面に表示する情報「グループ」「日時」「業務情報」を有している。本例では、「グループ」を示す情報「ｇｒ１」、「日時」（有効日時または送信日時）を示す情報「２０１１／１０／８／９：３０：０１」、「業務情報」を示す情報「ｅｌ１ａ」「ｅｌ２ａ」「ｅｌ３ａ」を有している。ただし、有効日時は業務情報として表示させない。
【０１５９】
ステップＳ２２０８では、制御部２０１が通信インタフェース２０５を介して表示結果情報を端末２に送信する。
図２５、図２６、図２７を用いて日時変更を表示させる処理について説明する。
【０１６０】
図２５は、端末と情報管理装置の日時変更を表示させる処理の一実施例を示すフロー図である。図２６は、特定情報と業務情報と日時変更画面の表示結果情報のデータ構造の一実施例を示す図である。図２７は、日時変更画面の一実施例を示す図である。
【０１６１】
端末の日時変更を表示させる処理について説明する。
日時変更を表示させる処理では、スライダーバーにより選択された業務が送信された位置を、地図座標に表示させる処理である。ステップＳ２５０１では、ＡＡＲに用いる端末２の制御部４０１が日時変更画面を表示する要求を受信する。例えば、業務を表示する表示領域１９０８〜１９１０のいずれかが、利用者により入力部を用いて、状況表示画面１９０１のスライダーバー１９０７ａ、１９０７ｂにより選択された場合、選択された業務に対応する日時変更画面を表示する要求を受信する。
【０１６２】
ステップＳ２５０２では、制御部４０１がスライダーバーの移動量に対応した日時を求める。
ステップＳ２５０３では、制御部４０１が日時変更画面の表示条件情報を生成する。日時変更画面の表示条件情報は、日時変更画面を表示させるために必要な情報（後述する日時変更画面の表示結果情報）を情報管理装置１から取得するための情報である。例えば、業務に対応する色や形状に関する情報と、グループの位置座標とを取得するための情報である。なお、日時変更画面の表示条件情報には日時変更画面の表示条件情報であることを示す情報を有する。
【０１６３】
ステップＳ２５０４では、制御部４０１が通信インタフェース４０５を介して情報管理装置１に日時変更画面の表示条件情報を送信する。
ステップＳ２５０５では、制御部４０１が通信インタフェース４０５を情報管理装置１から日時変更の表示結果情報を介して取得したか否かを判定し、取得した場合にはステップＳ２５０６（Ｙｅｓ）に移行する。未取得の場合にはステップＳ２５０５（Ｎｏ）に移行する。日時変更画面の表示結果情報については後述する。
【０１６４】
ステップＳ２５０６では、制御部４０１が日時変更画面の表示結果情報を用いて日時変更画面を表示する。例えば、図２７に示す日時変更画面２７０１を表示する。
情報管理装置の日時変更画面を表示させる処理について説明する。
【０１６５】
ステップＳ２５０７では、ＡＡＲに用いる情報管理装置１の制御部２０１が日時変更画面の表示条件情報を受信したか否かを判定し、受信した場合にはステップＳ２５０８（Ｙｅｓ）に移行し、未受信の場合にはステップＳ２５０７（Ｎｏ）に移行する。
【０１６６】
ステップＳ２５０８では、制御部２０１が日時変更画面の表示結果情報を生成する。図２７の日時変更画面２７０１は、スライダーバーにより業務（通信データ）を示す表示領域１９０８から表示領域１９１０に選択が変更されたときに、表示領域１９１０に対応する位置座標を地図上の表示領域２７０２に表示した図である。例えば、図２７の表示領域２７０１を表示する場合には、取得した日時変更画面の表示条件情報に含まれる「送信日時」を用いて、図２６の特定情報２６０１の「送信日時」と一致する行を取得する。続いて、取得した行に対応する業務情報２６０２を、記憶部２０２を検索して検出する。そして、特定情報２６０１の「内容の要素」の「ｅｌ１ｂ」に関連する業務情報２６０２の「内容」に記憶されている「ｅｌ２ｂ」「ｅｌ３ｂ」を検出する。さらに、「ｅｌ１ｂ」「ｅｌ２ｂ」「ｅｌ３ｂ」のいずれかに位置座標を示す情報が記憶されているか否かを判定する。本例では「ｅｌ３ｂ」が位置座標を示す情報であるので、日時変更画面の表示結果情報２６０３を生成する。位置座標を示す情報がない場合には日時変更画面の表示結果情報２６０３を生成しない。位置座標は、Global Positioning System（ＧＰＳ）などにより計測した情報などが考えられる。
【０１６７】
次に、表示結果情報２６０３は、図２７の表示領域２７０２に表示する情報「表示位置」「色」「表示サイズ」を有している。本例では、「表示位置」を示す情報「Ｘｊ，Ｙｊ」「ｃｏｌｏｒ１」「ｓｉｚｅｊ」を有している。「表示位置」に記憶されている表示位置「Ｘｊ，Ｙｊ」は、現在選択されている業務を送信した位置に表示させるためのディスプレイにおける表示座標を示している。また、表示位置「Ｘｊ，Ｙｊ」は上記位置座標「ｅｌ３ｂ」をディスプレイにおける表示座標に変換したものである。「ｃｏｌｏｒ１」は、日時変更画面の表示条件情報に含まれる「種別」を用いて、分類定義情報を参照して取得する。「ｓｉｚｅｊ」、例えば、円形、楕円、四角形、三角形などの表示領域の形を示す情報と、形の情報各々に関連する表示領域の大きさを示す情報と、表示領域に表示する文字列の情報などである。なお、表示領域の色を示すことが考えられる。分類定義情報から「ｆｏｒｍ１」を取得し、「表示サイズ」として用いてもよい。
【０１６８】
ステップＳ２５０９では、制御部２０１が通信インタフェース２０５を介して表示結果情報を端末２に送信する。
実施形態１によれば、実施した作業について事後検討を容易に行えるという効果を奏する。ＡＡＲを実施し、ＡＡＲに必要な訓練におけるグループ（部隊）の状態を表す状況表示画面を表示させる。ＡＡＲにおいて後述する状況表示画面を用いることで通信データの種別（業務の種別）、通信データの内容（業務の内容）、通信データと訓練日時との関係などが、利用者に視覚的に分かりやすくすることができる。さらに、通信データに関連する詳細情報を表示することで、詳細なレビューが行えるようになる。
【０１６９】
実施形態２について説明する。
図２８は、端末の状態復帰の処理の一実施例を示すフロー図である。図２９は、情報管理装置の状態復帰の処理の一実施例を示すフロー図である。図３０は、復帰対象選択画面、復帰対象訓練選択画面、状態復帰日時設定画面の一実施例を示すフロー図である。
【０１７０】
端末の状態復帰の処理について説明する。
ステップＳ２８０１では、制御部４０１が復帰対象選択画面を表示させるための情報を生成し、ディスプレイに復帰対象選択画面を表示させる。例えば、復帰対象選択画面には、端末２を選択するために用いる表示領域と、情報管理装置を選択するために用いる表示領域とが表示される。図３０の復帰対象選択画面３００１を参照。
【０１７１】
ステップＳ２８０２では利用者が復帰対象選択画面３００１を参照し、端末２を選択するための表示領域を選択するか、情報管理装置１を選択するための表示領域を選択する。制御部４０１は、端末２が選択されたことを検出した場合にはステップＳ２８０３（Ｙｅｓ）に移行し、情報管理装置１が選択されたことを検出した場合にはステップＳ２８０４（Ｎｏ）に移行する。
【０１７２】
ステップＳ２８０３では、制御部４０１が記憶部４０１を参照して実施済の訓練を検索する。例えば、訓練ごとに生成された訓練に関連付けられているフォルダを検索する。
ステップＳ２８０４では、制御部４０１が情報管理装置１の記憶部２０２に記憶されている訓練実施済の訓練を検索するために訓練検索要求を、通信インタフェース４０５を介して情報管理装置１に送信する。
【０１７３】
ステップＳ２８０５では利用者が復帰対象訓練選択画面を参照し、状態復帰させる訓練を選択する。制御部４０１が復帰対象訓練選択画面を表示させるための情報を生成し、ディスプレイに復帰対象訓練選択画面を表示させる。例えば、図３０に示した復帰対象訓練選択画面３００２のように訓練に対応する表示領域３００３〜３００５が表示される。本例では、実施済の訓練名、訓練開始日時１〜訓練終了日時１、仮想開始日時１が表示される。
【０１７４】
ステップＳ２８０６では利用者が状態復帰日時設定画面を参照し、状態復帰日時を入力領域に入力する。図３０の状態復帰日時設定画面３００６の入力領域３００７に状態復帰日時を入力する。入力部などを用いて復帰日時が入力されると、制御部４０１が復帰日時を取得する。
【０１７５】
ステップＳ２８０７では端末２が選択されている場合にはステップＳ２８０８に移行する。情報管理装置２が選択されている場合にはステップＳ２８０９に移行する。
ステップＳ２８０８では、制御部４０１が復帰日時と、記憶部４０２に記憶されている業務情報各々の登録日時とを比較し、復帰日時以降のデータを削除する。
【０１７６】
図３１は、状態復帰の処理における業務情報と登録日時のデータ構造の変化を示す図である。例えば、図３１に示す登録日時情報３１０３が業務情報３１０１に関連付けられて記憶部２０２に記憶されている場合、復帰日時として２０１１／１０／８／１０：００：００が入力されると、図３１の業務情報３１０２と登録日時情報３１０４に示すように復帰日時以降のデータが削除される。図３１の矢印参照。ただし、登録日時は削除しなくてもよい。
【０１７７】
ステップＳ２８０９は情報管理装置２が選択されている場合なので、制御部４０１が復帰日時を有する設定条件情報を生成し、通信インタフェース４０５を介して設定条件情報を情報管理装置１に送信する。
【０１７８】
ステップＳ２８１０では、制御部４０１が選択している訓練に関連する業務情報各々について状態復帰したことを示す情報を生成し、訓練に関連付ける。例えば、フラグ（状態復帰フラグ）などを立てることが考えられる。
【０１７９】
情報管理装置の状態復帰の処理について説明する。
ステップＳ２９０１では、制御部２０１が通信インタフェース２０５を介して訓練実施済の訓練を検索させる訓練検索要求を端末２から取得する。
【０１８０】
ステップＳ２９０２では、制御部２０１が記憶部２０２に記憶されている訓練実施済の訓練を検索する。例えば、訓練ごとに生成された訓練に関連付けられているフォルダを検索する。例えば、訓練ごとに生成された訓練に関連付けられているフォルダを検索する。
【０１８１】
ステップＳ２９０３では、制御部２０１が通信インタフェース２０５を介して設定条件を端末２から取得する。
ステップＳ２９０４では、制御部２０１が復帰日時と、記憶部２０２に記憶されている業務情報各々の送信日時とを比較し、復帰日時以降のデータを削除する。例えば、図３１に示す登録日時情報３１０３が業務情報３１０１に関連付けられて記憶部２０２に記憶されている場合、復帰日時として２０１１／１０／８／１０：００：００が入力されると、図３１の業務情報３１０２と登録日時情報３１０４に示すように復帰日時以降のデータが削除される。図３１の矢印参照。
図３１の矢印参照。また、制御部２０１が復帰日時と、記憶部２０２に記憶されている特定情報各々の送信日時とを比較し、復帰日時以降のデータを削除する。
【０１８２】
ステップＳ２９０５では、制御部２０１が選択している訓練に関連する業務情報各々について状態復帰したことを示す情報を生成し、訓練に関連付ける。例えば、フラグ（状態復帰フラグ）などを立てることが考えられる。
【０１８３】
実施形態２によれば、端末または情報管理装置に記憶されているデータに対して指定された局面の日時まで状態復帰させ、再度指定された日時（仮想日時）から訓練を再度実施させる処理（状態復帰）に関する操作を、利用者が容易にできるようにする。
【０１８４】
また、本発明は、上記実施形態１、２に限定されるものでなく、本発明の要旨を逸脱しない範囲内で種々の改良、変更が可能である。
【０１８５】
以上実施形態１、２に関し、更に以下の付記を開示する。
（付記１）
訓練中に行われたグループ間の通信で用いられた通信データを収集し、前記通信データに含まれる前記グループを識別するグループ情報と、前記通信データの種別を識別する種別情報と、前記通信データを送信した日時を示す送信日時情報と、前記通信データに含まれる内容を示す１つ以上の要素情報と、を有する業務情報を、前記訓練ごとに記憶部に記憶し、
前記訓練が終了した後、訓練の検討に用いる端末から前記訓練の状況を示す状況表示画面を表示させるための表示条件情報を受信すると、前記訓練に関連する前記業務情報を取得し、
前記状況表示画面に前記通信データの種別各々に対する表示領域各々を表示させるために、取得した前記業務情報の前記要素情報に業務を実行した日時を示す有効日時情報が含まれているか否かを判定し、前記有効日時情報が含まれる場合には取得した前記業務情報に含まれる前記種別情報と、前記種別情報に対応する前記グループ情報および前記要素情報とを用いて表示結果情報を生成し、
取得した前記業務情報の前記要素情報に前記有効日時情報がない場合には取得した前記業務情報の前記送信日時情報を用いて前記表示結果情報を生成し、
前記表示結果情報を訓練の検討に用いる前記端末に送信する、
処理をコンピュータに実行させることを特徴とする情報管理プログラム。
（付記２）
前記訓練の実施中に前記通信データを受信すると、受信した前記通信データに含まれる前記業務情報の前記種別情報を用いて、前記種別情報各々に関連付けられている、前記業務情報から前記グループ情報を特定する情報と、前記送信日時情報を特定する情報と、１つ以上の前記要素情報から決められた要素情報を特定するための情報と、を有する前記記憶部に記憶されている定義情報を参照し、前記業務情報からグループ情報と送信日時情報と要素情報を特定し、
特定された前記グループ情報と前記送信日時情報と前記要素情報とを、受信した業務情報の前記種別情報に関連付けて特定情報を生成し、前記記憶部に記憶し、
前記訓練が終了した後、訓練の検討に用いる前記端末から、前記状況表示画面の種別各々に対する表示領域を用いて選択された前記通信データの詳細な内容を示す詳細画面を表示させるための表示条件情報を受信すると、前記通信データに関連する前記特定情報または前記業務情報を前記記憶部から取得し、
選択された前記通信データに対応する前記詳細画面を表示させる表示領域を表示させるために、取得した前記特定情報を用いて前記業務情報を特定し、特定した前記業務情報の前記種別情報に対応するグループ情報および要素情報と、該要素情報に含まれる有効日時情報あるいは前記送信日時情報と、を用いて前記詳細画面の前記表示結果情報を生成する、
処理を前記コンピュータに実行させることを特徴とする付記１に記載の情報管理プログラム。
（付記３）
訓練に用いる端末のいずれか１つから訓練を開始する日時を示す訓練開始情報と、訓練を終了する日時を示す訓練終了情報を受信して前記記憶部に記憶し、
受信した前記通信データに含まれる前記業務情報と、該業務情報が前記記憶部に記憶された日時である登録日時情報とを関連付けて前記記憶部に記憶し、
前記訓練が終了した後、訓練の検討に用いる前記端末から、前記訓練開始情報と前記訓練終了情報とにより示される期間の任意の日時まで状態復帰させる要求を受信すると、前記任意の日時以降の前記登録日時情報に関連する前記業務情報と前記特定情報を削除する、
処理を前記コンピュータに実行させることを特徴とする付記１または２に記載の情報管理プログラム。
（付記４）
訓練に用いる複数の端末のいずれか１つから訓練を開始する日時を示す訓練開始情報と、訓練を終了する日時を示す訓練終了情報を受信して記憶し、
複数のグループ各々に属する端末が、訓練中に通信をした通信データを受信し、
前記通信データに含まれる前記グループを識別するグループ情報と、前記通信データの種別を識別する種別情報と、前記通信データを送信した日時を示す送信日時情報と、前記通信データに含まれる内容を示す１つ以上の要素情報と、を有する業務情報を、前記訓練ごとに記憶し、
前記訓練の実施中に前記通信データを受信すると、受信した前記通信データに含まれる前記業務情報の前記種別情報を用いて、前記種別情報各々に関連付けられている、前記業務情報から前記グループ情報を特定する情報と、前記送信日時情報を特定する情報と、１つ以上の前記要素情報から決められた要素情報を特定するための情報と、を有する定義情報を参照し、前記業務情報からグループ情報と送信日時情報と要素情報を特定し、
特定された前記グループ情報と前記送信日時情報と前記要素情報とを、受信した業務情報の前記種別情報に関連付けて特定情報を生成する、
情報管理装置と通信をし、
前記訓練が終了した後、前記訓練の状況を示す状況表示画面を表示させるために表示条件情報を前記情報管理装置に送信し、
前記状況表示画面に前記通信データの種別各々に対する表示領域各々を表示させるために、取得した前記業務情報の前記要素情報に業務を実行した日時を示す有効日時情報が含まれているか否かを判定し、前記有効日時情報が含まれる場合には取得した前記業務情報に含まれる前記種別情報と、前記種別情報に対応する前記グループ情報および前記要素情報とを用いて生成される表示結果情報を前記情報管理装置から受信し、
取得した前記業務情報の前記要素情報に前記有効日時情報がない場合には、取得した前記業務情報の前記送信日時情報を用いて生成される表示結果情報を前記情報管理装置から受信し、
受信した前記種別情報を用いて、前記種別情報各々に関連付けられる色と形状を示す情報を有する分類定義情報を参照し、前記状況表示画面に表示させる前記通信データの種別各々に対応する表示領域各々を求め、
前記訓練開始情報と前記訓練開始情報とにより示される期間と、前記通信データに対応する前記有効日時情報または前記送信日時情報と、前記状況表示画面の前記期間に対応する表示座標と、を用いて、前記グループ各々に関連付けて前記通信データの種別各々に対応する前記表示領域各々の表示位置を求め、
前記状況表示画面に前記表示領域各々を前記表示位置に基づいて表示させる、
処理をコンピュータに実行させることを特徴とする情報管理プログラム。
（付記５）
前記訓練が終了した後、前記状況表示画面の種別各々に対する表示領域を用いて選択された前記通信データの詳細な内容を示す詳細画面を表示させるための表示条件情報を前記情報管理装置に送信し、
選択された前記通信データに対応する前記詳細画面を表示させる表示領域を表示させるために、取得した前記特定情報を用いて前記業務情報を特定し、特定した前記業務情報の前記種別情報に対応する前記グループ情報および前記要素情報と、該要素情報に含まれる有効日時情報あるいは前記送信日時情報と、を用いて生成される前記詳細画面の表示結果情報を前記情報管理装置から受信し、
受信した前記詳細画面の前記表示結果情報に含まれる前記グループ情報と、前記有効日時情報または前記送信日時情報と、前記要素情報各々と、を前記詳細画面の前記表示位置に表示させる、
処理を前記コンピュータに実行させることを特徴とする付記４に記載の情報管理プログラム。
（付記６）
送信した前記通信データに含まれる前記業務情報と、該業務情報が前記記憶部に記憶された日時である登録日時情報とを関連付けて記憶する前記情報管理装置と通信をし、
前記訓練が終了した後、前記訓練開始情報と前記訓練終了情報とにより示される期間の任意の日時まで状態復帰させる要求を、前記情報管理装置に送信し、
前記任意の日時以降の前記登録日時情報に関連する前記業務情報と前記特定情報を削除する、
処理を前記コンピュータに実行させることを特徴とする付記４または５に記載の情報管理プログラム。
（付記７）
訓練中に行われたグループ間の通信で用いられた通信データを受信する受信部と、
前記通信データに含まれる前記グループを識別するグループ情報と、前記通信データの種別を識別する種別情報と、前記通信データを送信した日時を示す送信日時情報と、前記通信データに含まれる内容を示す１つ以上の要素情報と、を有する業務情報を、前記訓練ごとに記憶する記憶部と、
前記訓練が終了した後、訓練の検討に用いる端末から前記訓練の状況を示す状況表示画面を表示させるための表示条件情報を受信すると、前記訓練に関連する前記業務情報を取得し、前記状況表示画面に前記通信データの種別各々に対する表示領域各々を表示させるために、取得した前記業務情報の前記要素情報に業務を実行した日時を示す有効日時情報が含まれているか否かを判定し、前記有効日時情報が含まれる場合には取得した前記業務情報に含まれる前記種別情報と、前記種別情報に対応する前記グループ情報および前記要素情報と、を用いて表示結果情報を生成し、取得した前記業務情報の前記要素情報に前記有効日時情報がない場合には取得した前記業務情報の前記送信日時情報を用いて前記表示結果情報を生成する制御部と、
前記表示結果情報を訓練の検討に用いる前記端末に送信する送信部と、
を備えることを特徴とする情報管理装置。
（付記８）
前記制御部は、
前記訓練の実施中に前記通信データを受信すると、受信した前記通信データに含まれる前記業務情報の前記種別情報を用いて、前記種別情報各々に関連付けられている、前記業務情報から前記グループ情報を特定する情報と、前記送信日時情報を特定する情報と、１つ以上の前記要素情報から決められた要素情報を特定するための情報と、を有する前記記憶部に記憶されている定義情報を参照し、前記業務情報からグループ情報と送信日時情報と要素情報を特定し、特定された前記グループ情報と前記送信日時情報と前記要素情報とを、受信した業務情報の前記種別情報に関連付けて特定情報を生成し、前記記憶部に記憶する特定情報生成部と、
前記訓練が終了した後、訓練の検討に用いる前記端末から、前記状況表示画面の種別各々に対する表示領域を用いて選択された前記通信データの詳細な内容を示す詳細画面を表示させるための表示条件情報を受信すると、前記通信データに関連する前記特定情報または前記業務情報を前記記憶部から取得し、選択された前記通信データに対応する前記詳細画面を表示させる表示領域を表示させるために、取得した前記特定情報を用いて前記業務情報を特定し、特定した前記業務情報の前記種別情報に対応するグループ情報および要素情報と、該要素情報に含まれる有効日時情報あるいは前記送信日時情報と、を用いて前記表示結果情報を生成する、表示結果情報生成部と、
を備えることを特徴とする付記７に記載の情報管理装置。
（付記９）
前記制御部は、
訓練に用いる端末のいずれか１つから訓練を開始する日時を示す訓練開始情報と、訓練を終了する日時を示す訓練終了情報を受信して前記記憶部に記憶し、
前記制御部に含まれる状態復帰部は、
受信した前記通信データに含まれる前記業務情報と、該業務情報が前記記憶部に記憶された日時である登録日時情報とを関連付けて前記記憶部に記憶し、
前記訓練が終了した後、訓練の検討に用いる前記端末から、前記訓練開始情報と前記訓練終了情報とにより示される期間の任意の日時まで状態復帰させる要求を受信すると、前記任意の日時以降の前記登録日時情報に関連する前記業務情報と前記特定情報を削除する、
ことを特徴とする付記７または８に記載の情報管理装置。
（付記１０）
訓練に用いる複数の端末のいずれか１つから訓練を開始する日時を示す訓練開始情報と、訓練を終了する日時を示す訓練終了情報を受信して記憶し、
複数のグループ各々に属する端末が、訓練中に通信をした通信データを受信し、
前記通信データに含まれる前記グループを識別するグループ情報と、前記通信データの種別を識別する種別情報と、前記通信データを送信した日時を示す送信日時情報と、前記通信データに含まれる内容を示す１つ以上の要素情報と、を有する業務情報を、前記訓練ごとに記憶し、
前記訓練の実施中に前記通信データを受信すると、受信した前記通信データに含まれる前記業務情報の前記種別情報を用いて、前記種別情報各々に関連付けられている、前記業務情報から前記グループ情報を特定する情報と、前記送信日時情報を特定する情報と、１つ以上の前記要素情報から決められた要素情報を特定するための情報と、を有する定義情報を参照し、前記業務情報からグループ情報と送信日時情報と要素情報を特定し、
特定された前記グループ情報と前記送信日時情報と前記要素情報とを、受信した業務情報の前記種別情報に関連付けて特定情報を生成する、
情報管理装置と通信をし、
前記訓練が終了した後、前記訓練の状況を示す状況表示画面を表示させるために表示条件情報を前記情報管理装置に送信する送信部と、
前記状況表示画面に前記通信データの種別各々に対する表示領域各々を表示させるために、取得した前記業務情報の前記要素情報に業務を実行した日時を示す有効日時情報が含まれているか否かを判定し、前記有効日時情報が含まれる場合には取得した前記業務情報に含まれる前記種別情報と、前記種別情報に対応する前記グループ情報および前記要素情報とを用いて生成される表示結果情報を前記情報管理装置から受信し、取得した前記業務情報の前記要素情報に前記有効日時情報がない場合には、取得した前記業務情報の前記送信日時情報を用いて生成される表示結果情報を前記情報管理装置から受信する受信部と、
受信した前記種別情報を用いて、前記種別情報各々に関連付けられる色と形状を示す情報を有する分類定義情報を参照し、前記状況表示画面に表示させる前記通信データの種別各々に対応する表示領域各々を求め、前記訓練開始情報と前記訓練開始情報とにより示される期間と、前記通信データに対応する前記有効日時情報または前記送信日時情報と、前記状況表示画面の前記期間に対応する表示座標と、を用いて、前記グループ各々に関連付けて前記通信データの種別各々に対応する前記表示領域各々の表示位置を求める制御部と、
前記状況表示画面に前記表示領域各々を前記表示位置に基づいて表示させる出力部と、
を備えることを特徴とする端末。
（付記１１）
前記制御部は、
前記訓練が終了した後、前記状況表示画面の種別各々に対する表示領域を用いて選択された前記通信データの詳細な内容を示す詳細画面を表示させるための表示条件情報を生成し、前記送信部を介して前記情報管理装置に送信させ、
選択された前記通信データに対応する前記詳細画面を表示させる表示領域を表示させるために、取得した前記特定情報を用いて前記業務情報を特定し、特定した前記業務情報の前記種別情報に対応する前記グループ情報と前記要素情報と、該要素情報に含まれる有効日時情報あるいは前記送信日時情報と、を用いて生成される前記詳細画面の表示結果情報を前記情報管理装置から前記受信部を介して受信し、
受信した前記表示結果情報に含まれる前記詳細画面の前記グループ情報と、前記有効日時情報または前記送信日時情報と、前記要素情報各々と、を前記詳細画面の前記表示位置に表示させる、
を備えることを特徴とする付記１０に記載の端末。
（付記１２）
前記制御部は、
送信した前記通信データに含まれる前記業務情報と、該業務情報が前記記憶部に記憶された日時である登録日時情報とを関連付けて記憶し、
前記制御部に含まれる状態復帰部は、
前記訓練が終了した後、前記訓練開始情報と前記訓練終了情報とにより示される期間の任意の日時まで状態復帰させる要求を、前記情報管理装置に送信し、
前記記憶部に記憶した前記任意の日時以降の前記登録日時情報に関連する前記業務情報と前記特定情報を削除する、
ことを特徴とする付記１０または１１に記載の端末。
（付記１３）
情報管理装置は、
訓練に用いる複数の端末のいずれか１つから訓練を開始する日時を示す訓練開始情報と、訓練を終了する日時を示す訓練終了情報を受信して記憶し、
前記訓練の実施中に前記通信データを受信すると、前記通信データに含まれる前記グループを識別するグループ情報と、前記通信データの種別を識別する種別情報と、前記通信データを送信した日時を示す送信日時情報と、前記通信データに含まれる内容を示す１つ以上の要素情報と、を有する業務情報を、前記訓練ごとに記憶し、
前記訓練の実施中に受信した前記通信データに含まれる前記業務情報の前記種別情報を用いて、前記種別情報各々に関連付けられている、前記業務情報から前記グループ情報を特定する情報と、前記送信日時情報を特定する情報と、１つ以上の前記要素情報から決められた要素情報を特定するための情報と、を有する定義情報を参照し、前記業務情報からグループ情報と送信日時情報と要素情報を特定し、
特定された前記グループ情報と前記送信日時情報と前記要素情報とを、受信した業務情報の前記種別情報に関連付けて特定情報を生成し、
特定された前記グループ情報と前記送信日時情報と前記要素情報とを、受信した業務情報の前記種別情報に関連付けて特定情報を生成し、前記記憶部に記憶し、
前記訓練が終了した後、
訓練の検討に用いる端末は、
前記訓練の状況を示す状況表示画面を表示させるために表示条件情報を前記情報管理装置に送信し、
前記情報管理装置は、
訓練の検討に用いる前記端末から前記訓練の状況を示す状況表示画面を表示させるための表示条件情報を受信すると、前記訓練に関連する前記業務情報を取得し、
前記状況表示画面に前記通信データの種別各々に対する表示領域各々を表示させるために、取得した前記業務情報の前記要素情報に業務を実行した日時を示す有効日時情報が含まれているか否かを判定し、前記有効日時情報が含まれる場合には取得した前記業務情報に含まれる前記種別情報と、前記種別情報に対応する前記グループ情報および前記要素情報とを用いて表示結果情報を生成し、
取得した前記業務情報の前記要素情報に前記有効日時情報がない場合には取得した前記業務情報の前記送信日時情報を用いて前記表示結果情報を生成し、
前記表示結果情報を訓練の検討に用いる前記端末に送信し、
訓練の検討に用いる前記端末は、
前記表示結果情報を前記情報管理装置から受信し、
受信した前記表示結果情報の前記種別情報を用いて、前記種別情報各々に関連付けられる色と形状を示す情報を有する分類定義情報を参照し、前記状況表示画面に表示させる前記通信データの種別各々に対応する表示領域各々を求め、
前記訓練開始情報と前記訓練開始情報とにより示される期間と、前記通信データに対応する前記有効日時情報または前記送信日時情報と、前記状況表示画面の前記期間に対応する表示座標と、を用いて、前記グループ各々に関連付けて前記通信データの種別各々に対応する前記表示領域各々の表示位置を求め、
前記状況表示画面に前記表示領域各々を前記表示位置に基づいて表示させる、
ことを特徴とする情報管理方法。
（付記１４）
前記訓練が終了した後、
訓練の検討に用いる前記端末は、
前記状況表示画面の種別各々に対する表示領域を用いて選択された前記通信データの詳細な内容を示す詳細画面を表示させるための表示条件情報を前記情報管理装置に送信し、
前記情報管理装置は、
訓練の検討に用いる前記端末から、前記状況表示画面の種別各々に対する表示領域を用いて選択された前記通信データの詳細な内容を示す詳細画面を表示させるための表示条件情報を受信すると、前記通信データに関連する前記特定情報または前記業務情報を前記記憶部から取得し、
選択された前記通信データに対応する前記詳細画面を表示させる表示領域を表示させるために、取得した前記特定情報を用いて前記業務情報を特定し、特定した前記業務情報の前記種別情報に対応するグループ情報および要素情報と、該要素情報に含まれる有効日時情報あるいは前記送信日時情報と、を用いて前記詳細画面の前記表示結果情報を生成し、
訓練の検討に用いる前記端末へ送信し、
訓練の検討に用いる前記端末は、
前記詳細画面の表示結果情報を前記情報管理装置から受信し、
受信した前記詳細画面の前記表示結果情報に含まれる前記グループ情報と、前記有効日時情報または前記送信日時情報と、前記要素情報各々と、を前記詳細画面の前記表示位置に表示させる、
ことを特徴とする付記１３に記載の情報管理方法。
（付記１５）
前記端末は、
前記訓練の実施中に送信した前記通信データに含まれる前記業務情報と、該業務情報が前記記憶部に記憶された日時である登録日時情報とを関連付けて記憶し、
前記情報管理装置は、
訓練に用いる前記端末のいずれか１つから訓練を開始する日時を示す訓練開始情報と、訓練を終了する日時を示す訓練終了情報を受信して前記記憶部に記憶し、
受信した前記通信データに含まれる前記業務情報と、該業務情報が前記記憶部に記憶された日時である登録日時情報とを関連付けて前記記憶部に記憶し、
前記端末は、
前記訓練が終了した後、前記訓練開始情報と前記訓練終了情報とにより示される期間の任意の日時まで状態復帰させる要求を、前記情報管理装置に送信し、
前記任意の日時以降の前記登録日時情報に関連する前記業務情報と前記特定情報を削除し、
前記情報管理装置は、
前記訓練が終了した後、訓練の検討に用いる前記端末から、前記訓練開始情報と前記訓練終了情報とにより示される期間の任意の日時まで状態復帰させる要求を受信すると、前記任意の日時以降の前記登録日時情報に関連する前記業務情報と前記特定情報を削除する、
ことを特徴とする付記１４に記載の情報管理方法。
【符号の説明】
【０１８６】
１  情報管理装置
２  端末
３  ネットワーク
２０１  制御部
２０２  記憶部
２０３  記録媒体読取装置
２０４  入出力インタフェース
２０５  通信インタフェース
２０６  バス
２０７  記録媒体
２０８  入出力部
３０１、５０１、８０３、８０６、１３０１、２３０２、２６０２、３１０１、３１０２  業務情報
３０２、８０９  設定情報
３０３、１３０２  定義情報
３０４、５０２、１８０１、２３０３、２６０３  表示結果情報
３０５、５０５、１３０４、３１０３、３１０４  登録日時情報
３０６、１７０１  訓練情報
３０７、１３０３、２３０１、２６０１  特定情報
４０１  制御部
４０２  記憶部
４０３  記録媒体読取装置
４０４  入出力インタフェース
４０５  通信インタフェース
４０６  バス
４０７  記録媒体
４０８  入出力部
５０３、１８０２  分類定義情報
５０４、１７０３  選択画面情報
５０６、１８０３、１８０４  表示位置情報
５０７、１８０５  状況表示画面情報
５０８、２３０４  詳細画面情報
８０１、８０２  通信データ
８０４、８０７、８１１  通信に必要な情報
８１０  訓練日時設定情報
１７０２  統合情報
１７０４  選択画面
１７０５〜１７０８、１９０２〜１９１０、２４０２〜２４１１、２７０１、２７０２、３００３  表示領域
１９０１  状況表示画面
２４０１  詳細画面
２７０１  日時変更画面
３００１  復帰対象選択画面
３００２  復帰対象訓練選択画面
３００６  状態復帰日時設定画面
３００７  入力領域
【図１】
0005845871.tif 000002
【図２】
0005845871.tif 000003
【図３】
0005845871.tif 000004
【図４】
0005845871.tif 000005
【図５】
0005845871.tif 000006
【図６】
0005845871.tif 000007
【図７】
0005845871.tif 000008
【図８】
0005845871.tif 000009
【図９】
0005845871.tif 000010
【図１０】
0005845871.tif 000011
【図１１】
0005845871.tif 000012
【図１２】
0005845871.tif 000013
【図１３】
0005845871.tif 000014
【図１４】
0005845871.tif 000015
【図１５】
0005845871.tif 000016
【図１６】
0005845871.tif 000017
【図１７】
0005845871.tif 000018
【図１８】
0005845871.tif 000019
【図２０】
0005845871.tif 000020
【図２１】
0005845871.tif 000021
【図２２】
0005845871.tif 000022
【図２３】
0005845871.tif 000023
【図２５】
0005845871.tif 000024
【図２６】
0005845871.tif 000025
【図２８】
0005845871.tif 000026
【図２９】
0005845871.tif 000027
【図３０】
0005845871.tif 000028
【図３１】
0005845871.tif 000029
【図１９】
0005845871.tif 000030
【図２４】
0005845871.tif 000031
【図２７】
0005845871.tif 000032